(57)【要約】【課題】無線通信システムにおいて下りリンク制御情報を受信又は送信する方法を提案する。【解決手段】本発明の一実施例に係る無線通信システムにおいてユーザ機器が下りリンク制御信号を受信するための方法は、下りリンクサービング基地局からＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）を受信するステップと、受信されたＥＰＤＣＣＨ内ＥＰＤＣＣＨ集合で複数のＥＰＤＣＣＨ候補をモニタリングするステップと、を含み、ＥＰＤＣＣＨ候補の最小集成レベルは、無線通信システムの下りリンク帯域幅及び下りリンク制御情報（Ｄｏｗｎｌｉｎｋ  Ｃｏｎｔｒｏｌ  Ｉｎｆｏｒｍａｔｉｏｎ；ＤＣＩ）フォーマットと関連することができる。【選択図】図１２
2015534326.tif 000002
【特許請求の範囲】
【請求項１】
無線通信システムにおいてユーザ機器が下りリンク制御信号を受信するための方法であって、
下りリンクサービング基地局からＥＰＤＣＣＨを受信するステップと、
前記受信されたＥＰＤＣＣＨ内ＥＰＤＣＣＨ集合で複数のＥＰＤＣＣＨ候補をモニタリングするステップと、
を含み、
前記ＥＰＤＣＣＨ候補の最小集成レベルは、前記無線通信システムの下りリンク帯域幅及び下りリンク制御情報（ＤＣＩ）フォーマットと関連することを特徴とする、下りリンク制御信号受信方法。
【請求項２】
前記下りリンク帯域幅が２５個のリソースブロック（ＲＢ）以上であり、前記ＤＣＩフォーマットが２／２Ａ／２Ｂ／２Ｃ／２Ｄである場合、前記最小集成レベルは２である、請求項１に記載の下りリンク制御信号受信方法。
【請求項３】
前記ＥＰＤＣＣＨ候補の数は、前記ＥＰＤＣＣＨ集合を構成するＰＲＢ対の数が４である場合、集成レベル２、４、８及び１６のそれぞれに対して８、４、２及び１個に設定される、請求項２に記載の下りリンク制御信号受信方法。
【請求項４】
各集成レベルＬに対する前記ＥＰＤＣＣＨ候補の数に関する情報を、前記下りリンクサービング基地局から受信するステップをさらに含む、請求項１に記載の下りリンク制御信号受信方法。
【請求項５】
前記ＥＰＤＣＣＨ集合内ＥＣＣＥの数よりも大きい集成レベルＬ１が設定されていると、前記集成レベルＬ１に対するＥＰＤＣＣＨ候補を他の集成レベルに対して割り当てるステップを含む、請求項１に記載の下りリンク制御信号受信方法。
【請求項６】
前記集成レベルＬ１に対するＥＰＤＣＣＨ候補は、前記ＥＰＤＣＣＨ集合に設定された集成レベルのうちの前記集成レベルＬ１よりも小さい集成レベルのうち、最大の集成レベルから最小の集成レベルへの優先順位で前記他の集成レベルへの割当が試みられる、請求項５に記載の下りリンク制御信号受信方法。
【請求項７】
前記集成レベルＬ１よりも小さい集成レベルのうちの特定集成レベルに追加のＥＰＤＣＣＨ候補が割り当てられることが不可能であれば、前記特定集成レベルの次に大きい集成レベルに対して追加のＥＰＤＣＣＨ候補が割り当てられる、請求項６に記載の下りリンク制御信号受信方法。
【請求項８】
前記ＥＰＤＤＣＨ集合のＥＰＤＣＣＨ候補の数は、各集成レベル（Ｌ）、前記ＥＰＤＣＣＨ集合の物理リソースブロック対の数（Ｎ）、及び各ＰＲＢ対別ＥＣＣＥ個数によって決定され、
前記各Ｎに対する前記ＥＰＤＣＣＨ候補の数は固定している、請求項１に記載の下りリンク制御信号受信方法。
【請求項９】
前記ＥＰＤＣＣＨ集合が２つである場合、前記２つのＥＰＤＣＣＨ集合は、互いに異なる最小集成レベルを有するように設定される、請求項１に記載の下りリンク制御信号受信方法。
【請求項１０】
前記ＥＰＤＣＣＨ集合が２つである場合、前記２つのＥＰＤＣＣＨ集合は、各集成レベル別に互いに異なるＥＰＤＣＣＨ候補個数を有するように設定される、請求項１に記載の下りリンク制御信号受信方法。
【請求項１１】
第１ＥＰＤＣＣＨ集合に前記第１ＥＰＤＣＣＨ集合内ＥＣＣＥの数よりも大きい集成レベルＬ２が設定されていると、前記特定集成レベルに対するＥＰＤＣＣＨ候補を第２ＥＰＤＣＣＨ集合に対して割り当てるステップを含む、請求項１０に記載の下りリンク制御信号受信方法。
【請求項１２】
前記集成レベルＬ２に対するＥＰＤＣＣＨ候補は、前記第１ＥＰＤＣＣＨ集合に設定された集成レベルのうちの前記集成レベルＬ２よりも小さい集成レベルのうち、最大の集成レベルから最小の集成レベルへの優先順位で前記第２ＥＰＤＣＣＨ集合への割当が試みられる、請求項１１に記載の下りリンク制御信号受信方法。
【請求項１３】
前記集成レベルＬ２よりも小さい集成レベルのうちの特定集成レベルに追加のＥＰＤＣＣＨ候補が割り当てられることが不可能であれば、前記特定集成レベルの次に大きい集成レベルに対して追加のＥＰＤＣＣＨ候補が割り当てられる、請求項１２に記載の下りリンク制御信号受信方法。
【請求項１４】
無線通信システムにおいて下りリンク制御信号を受信するように構成された端末であって、
無線周波数（ＲＦ）ユニットと、
前記ＲＦユニットを制御するように構成されたプロセッサと、
を備え、
前記プロセッサは、下りリンクサービング基地局からＥＰＤＣＣＨを受信し、前記受信されたＥＰＤＣＣＨ内ＥＰＤＣＣＨ集合で複数のＥＰＤＣＣＨ候補をモニタリングするように構成され、
前記ＥＰＤＣＣＨ候補の最小集成レベルは、前記無線通信システムの下りリンク帯域幅及び下りリンク制御情報（ＤＣＩ）フォーマットと関連することを特徴とする、端末。
【発明の詳細な説明】
【技術分野】
【０００１】
本発明は、無線通信システムに関し、特に、無線通信システムにおいて下りリンク制御信号を受信又は送信するための方法及びそのための装置に関する。
【背景技術】
【０００２】
機器間(Ｍａｃｈｉｎｅ−ｔｏ−Ｍａｃｈｉｎｅ、Ｍ２Ｍ)通信と、高いデータ送信量を要求するスマートフォン、タブレットＰＣなどの様々な装置及び技術が出現及び普及されている。これに伴い、セルラー網で処理されることが要求されるデータ量も急増している。このように急増しているデータ処理要求量を満たすために、より多い周波数帯域を効率的に使用するための搬送波集成（ｃａｒｒｉｅｒ  ａｇｇｒｅｇａｔｉｏｎ）技術、認知無線（ｃｏｇｎｉｔｉｖｅ  ｒａｄｉｏ）技術などと、限定された周波数内で送信されるデータ容量を増大させるための多重アンテナ技術、多重基地局協調技術などが発展している。また、ユーザ機器がその周辺でアクセスできるノードの密度が高くなる方向に通信環境が進展している。ノードとは、１つ以上のアンテナを有しており、ユーザ機器と無線信号を送信／受信できる固定した地点（ｐｏｉｎｔ）のことをいう。高い密度のノードを有する通信システムは、ノード間の協調によってより高い性能の通信サービスをユーザ機器に提供することができる。
【０００３】
複数のノードで同一の時間−周波数リソースを用いてユーザ機器と通信を行う多重ノード協調通信方式は、各ノードが独立した基地局として動作して相互協調無しでユーザ機器と通信を行う既存の通信方式に比べて、データ処理量において格段に優れた性能を示す。
【０００４】
多重ノードシステムは、各ノードが、基地局、アクセスポイント、アンテナ、アンテナグループ、無線リモートヘッド（ｒａｄｉｏ  ｒｅｍｏｔｅ  ｈｅａｄ、ＲＲＨ）、無線リモートユニット（ｒａｄｉｏ  ｒｅｍｏｔｅ  ｕｎｉｔ、ＲＲＵ）として動作する、複数のノードを用いて協調通信を行う。アンテナが基地局に集中して位置している既存の中央集中型アンテナシステムと違い、一般に、多重ノードシステムでは複数のノードが一定間隔以上で離れて位置する。複数のノードは、各ノードの動作を制御したり、各ノードを介して送／受信されるデータをスケジューリングしたりする１つ以上の基地局或いは基地局コントローラ（ｃｏｎｔｒｏｌｌｅｒ）によって管理することができる。各ノードは、当該ノードを管理する基地局或いは基地局コントローラとケーブル或いは専用回線（ｄｅｄｉｃａｔｅｄ  ｌｉｎｅ）で接続される。
【０００５】
このような多重ノードシステムは、分散したノードが同時に異なったストリームを送／受信して単一又は複数のユーザ機器と通信できるという点で、一種のＭＩＭＯ（ｍｕｌｔｉｐｌｅ  ｉｎｐｕｔ  ｍｕｌｔｉｐｌｅ  ｏｕｔｐｕｔ）システムと見なすことができる。ただし、多重ノードシステムは様々な位置に分散しているノードを用いて信号を送信するため、既存の中央集中型アンテナシステムに備えられたアンテナに比べて、各アンテナがカバーすべき送信領域が縮減する。そのため、中央集中型アンテナシステムにおいてＭＩＭＯ技術を具現した既存システムに比べて、多重ノードシステムでは、各アンテナが信号を送信するために必要とする送信電力を減少させることができる。また、アンテナとユーザ機器間の送信距離が短縮するため、経路損失が減少し、データの高速送信が可能になる。これによって、セルラーシステムの送信容量及び電力効率を増大させることができ、セル内のユーザ機器の位置に関係なく、相対的に均一な品質の通信性能を保障することができる。また、多重ノードシステムでは、複数のノードに接続した基地局或いは基地局コントローラがデータ送信／受信に協調するため、送信過程で発生する信号損失が減少する。また、一定の距離以上で離れて位置したノード同士がユーザ機器と協調通信を行う場合、アンテナ間の相関度（ｃｏｒｒｅｌａｔｉｏｎ）及び干渉が軽減することとなる。したがって、多重ノード協調通信方式によれば、高い信号対雑音比（ｓｉｇｎａｌ  ｔｏ  ｉｎｔｅｒｆｅｒｅｎｃｅ−ｐｌｕｓ−ｎｏｉｓｅ  ｒａｔｉｏ、ＳＩＮＲ）が得られる。
【０００６】
このような多重ノードシステムの特長から、次世代移動通信システムにおいて基地局増設費用とバックホール（ｂａｃｋｈａｕｌ）網の保守費用を削減すると同時に、サービスカバレッジの拡大とチャネル容量及びＳＩＮＲの向上のために、多重ノードシステムが、既存の中央集中型アンテナシステムと併せて或いはそれに代えてセルラー通信の新しい基盤として台頭している。
【発明の概要】
【発明が解決しようとする課題】
【０００７】
本発明は、無線通信システムにおいて下りリンク制御情報を受信又は送信するための方案を提案する。
【０００８】
本発明で達成しようとする技術的課題は、上記の技術的課題に制限されず、言及していない他の技術的課題は、以下の記載から、本発明の属する技術の分野における通常の知識を有する者には明確に理解されるであろう。
【課題を解決するための手段】
【０００９】
本発明の一実施例に係る無線通信システムにおいてユーザ機器が下りリンク制御信号を受信するための方法において、この方法は、下りリンクサービング基地局からＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）を受信するステップと、前記受信されたＥＰＤＣＣＨ内ＥＰＤＣＣＨ集合で複数のＥＰＤＣＣＨ候補をモニタリングするステップと、を含み、前記ＥＰＤＣＣＨ候補の最小集成レベルは、前記無線通信システムの下りリンク帯域幅及び下りリンク制御情報（Ｄｏｗｎｌｉｎｋ  Ｃｏｎｔｒｏｌ  Ｉｎｆｏｒｍａｔｉｏｎ；ＤＣＩ）フォーマットと関連することができる。
【００１０】
好適には、前記下りリンク帯域幅が２５個のリソースブロック（ｒｅｓｏｕｒｃｅ  ｂｌｏｃｋ；ＲＢ）以上であり、前記ＤＣＩフォーマットが２／２Ａ／２Ｂ／２Ｃ／２Ｄである場合、前記最小集成レベルは２であってもよい。
【００１１】
好適には、前記ＥＰＤＣＣＨ候補は、前記ＥＰＤＣＣＨ集合を構成するＰＲＢ対の数が４である場合、集成レベル２、４、８及び１６のそれぞれに対して８、４、２及び１個に設定されてもよい。
【００１２】
好適には、前記方法は、前記各集成レベルＬに対する前記ＥＰＤＣＣＨ候補の数に関する情報を前記下りリンクサービング基地局から受信するステップをさらに含んでもよい。
【００１３】
好適には、前記ＥＰＤＣＣＨ集合内ＥＣＣＥ（ｅｎｈａｎｃｅｄ  Ｃｏｎｔｒｏｌ  Ｃｈａｎｎｅｌ  Ｅｌｅｍｅｎｔ）の数よりも大きい集成レベル（以下、Ｌ１）が設定されていると、前記方法は、前記集成レベルＬ１に対するＥＰＤＣＣＨ候補を他の集成レベルに対して割り当てるステップを含んでもよい。
【００１４】
好適には、前記集成レベルＬ１に対するＥＰＤＣＣＨ候補は、前記ＥＰＤＣＣＨ集合に設定された集成レベルのうちの前記集成レベルＬ１よりも小さい集成レベルのうち、最大の集成レベルから最小の集成レベルへの優先順位で割当が試みられてもよい。
【００１５】
好適には、前記集成レベルＬ１よりも小さい集成レベルのうちの特定集成レベルに追加のＥＰＤＣＣＨ候補が割り当てられることが不可能であれば、前記特定集成レベルの次に大きい集成レベルに対して追加のＥＰＤＣＣＨ候補が割り当てられてもよい。
【００１６】
好適には、前記ＥＰＤＤＣＨ集合のＥＰＤＣＣＨ候補の数は、各集成レベル（ａｇｇｒｅｇａｔｉｏｎ  ｌｅｖｅｌ）（Ｌ）、前記ＥＰＤＣＣＨ集合の物理リソースブロック（Ｐｈｙｓｉｃａｌ  ｒｅｓｏｕｒｃｅ  ｂｌｏｃｋ；ＰＲＢ）対の数（Ｎ）、及び各ＰＲＢ対別ＥＣＣＥ（ｅｎｈａｎｃｅｄ  Ｃｏｎｔｒｏｌ  Ｃｈａｎｎｅｌ  Ｅｌｅｍｅｎｔ）個数によって決定され、前記各Ｎに対する前記ＥＰＤＣＣＨ候補の数は固定していてもよい。
【００１７】
好適には、前記ＥＰＤＣＣＨ集合が２つである場合、前記２つのＥＰＤＣＣＨ集合は、互いに異なる最小集成レベルを有するように設定されてもよい。
【００１８】
好適には、前記ＥＰＤＣＣＨ集合が２つである場合、前記２つのＥＰＤＣＣＨ集合は、各集成レベル別に互いに異なるＥＰＤＣＣＨ候補個数を有するように設定されてもよい。
【００１９】
好適には、第１ＥＰＤＣＣＨ集合に前記第１ＥＰＤＣＣＨ集合内ＥＣＣＥ（ｅｎｈａｎｃｅｄ  Ｃｏｎｔｒｏｌ  Ｃｈａｎｎｅｌ  Ｅｌｅｍｅｎｔ）の数よりも大きい集成レベル（以下、Ｌ２）が設定されていると、前記方法は、前記特定集成レベルに対するＥＰＤＣＣＨ候補を第２ＥＰＤＣＣＨ集合に対して割り当てるステップを含んでもよい。
【００２０】
好適には、前記集成レベルＬ２に対するＥＰＤＣＣＨ候補は、前記第１ＥＰＤＣＣＨ集合に設定された集成レベルのうちの前記集成レベルＬ２よりも小さい集成レベルのうち、最大の集成レベルから最小の集成レベルへの優先順位で割当が試みられてもよい。
【００２１】
好適には、前記集成レベルＬ２よりも小さい集成レベルのうちの特定集成レベルに追加のＥＰＤＣＣＨ候補が割り当てられることが不可能であれば、前記特定集成レベルの次に大きい集成レベルに対して追加のＥＰＤＣＣＨ候補が割り当てられてもよい。
【００２２】
本発明の他の実施例に係る無線通信システムにおいて下りリンク制御信号を受信するように構成された端末において、この端末は、無線周波数（ｒａｄｉｏ  ｆｒｅｑｕｅｎｃｙ；ＲＦ）ユニットと、前記ＲＦユニットを制御するように構成されたプロセッサと、を備え、前記プロセッサは、下りリンクサービング基地局からＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）を受信し、前記受信されたＥＰＤＣＣＨ内ＥＰＤＣＣＨ集合で複数のＥＰＤＣＣＨ候補をモニタリングするように構成され、前記ＥＰＤＣＣＨ候補の最小集成レベルは、前記無線通信システムの下りリンク帯域幅及び下りリンク制御情報（Ｄｏｗｎｌｉｎｋ  Ｃｏｎｔｒｏｌ  Ｉｎｆｏｒｍａｔｉｏｎ；ＤＣＩ）フォーマットと関連することができる。
【００２３】
以上の課題解決方法は、本発明の実施例の一部に過ぎず、本願発明の技術的特徴が反映された様々な実施例が、当該技術の分野における通常の知識を有する者によって、以下に詳述する本発明の詳細な説明に基づいて導出され、理解されるであろう。
【発明の効果】
【００２４】
本発明の実施例によれば、無線通信システムにおいて下りリンク制御情報を効率的に送受信することができる。
【００２５】
本発明から得られる効果は、以上に言及した効果に制限されず、言及していない他の効果は、以下の記載から、本発明の属する技術の分野における通常の知識を有する者に明確に理解されるであろう。
【００２６】
本発明に関する理解を助けるために詳細な説明の一部として含まれる添付の図面は、本発明に関する実施例を提供し、詳細な説明と共に本発明の技術的思想を説明する。
【図面の簡単な説明】
【００２７】
【図１】無線通信システムで用いられる無線フレーム構造の一例を示す図である。
【図２】無線通信システムで下りリンク／上りリンク（ＤＬ／ＵＬ）スロット構造の一例を示す図である。
【図３】３ＧＰＰ ＬＴＥ／ＬＴＥ−Ａシステムで用いられる下りリンク（ｄｏｗｎｌｉｎｋ、ＤＬ）サブフレーム構造を例示する図である。
【図４】３ＧＰＰ ＬＴＥ／ＬＴＥ−Ａシステムで用いられる上りリンク（ｕｐｌｉｎｋ、ＵＬ）サブフレーム構造の一例を示す図である。
【図５】ＥＰＤＣＣＨ（Ｅｎｈａｎｃｅｄ  Ｐｈｙｓｉｃａｌ  Ｄｏｗｎｌｉｎｋ  Ｃｏｎｔｏｒｌ  Ｃｈａｎｎｅｌ）を示す図である。
【図６】複数の端末のためのＥＰＤＣＣＨを多重化する方法を例示する図である。
【図７】搬送波集成（ｃａｒｒｉｅｒ  ａｇｇｒｅｇａｔｉｏｎ；ＣＡ）技法を説明する概念図である。
【図８】交差搬送波スケジューリング技法が適用される例を示す図である。
【図９】本発明の一実施例に係るＥＰＤＣＣＨ集合に含まれたＰＲＢ対の数を決定する例を示す図である。
【図１０】本発明の一実施例に係るＥＰＤＣＣＨ集合に含まれたＰＲＢ対の数を決定する例を示す図である。
【図１１】本発明の一実施例に係るＥＰＤＣＣＨ集合に含まれたＰＲＢ対を知らせる例を示す図である。
【図１２】本発明の実施例を具現するための装置のブロック図である。
【発明を実施するための形態】
【００２８】
以下、本発明に係る好適な実施の形態を添付の図面を参照して詳しく説明する。添付の図面と共に以下に開示される詳細な説明は、本発明の例示的な実施の形態を説明するためのもので、本発明を実施できる唯一の実施の形態を示すためのものではない。以下の詳細な説明は、本発明の完全な理解を提供するために具体的な細部事項を含む。しかし、このような具体的な細部事項無しにも本発明を実施可能であるということが当業者には理解できる。
【００２９】
場合によって、本発明の概念が曖昧になることを避けるために、公知の構造及び装置が省略されることもあり、各構造及び装置の核心機能を中心にしたブロック図の形式で図示されることもある。また、本明細書全体を通じて同一の構成要素には同一の図面符号を付して説明する。
【００３０】
本発明において、ユーザ機器（Ｕｓｅｒ  Ｅｑｕｉｐｍｅｎｔ：ＵＥ）は、固定していても、移動性を有していてもよいもので、基地局（ｂａｓｅ  ｓｔａｔｉｏｎ：ＢＳ）と通信してユーザデータ及び／又は各種制御情報を送受信する各種機器を含む。ＵＥを、端末（Ｔｅｒｍｉｎａｌ  Ｅｑｕｉｐｍｅｎｔ）、ＭＳ（Ｍｏｂｉｌｅ  Ｓｔａｔｉｏｎ）、ＭＴ（Ｍｏｂｉｌｅ  Ｔｅｒｍｉｎａｌ）、ＵＴ（Ｕｓｅｒ  Ｔｅｒｍｉｎａｌ）、ＳＳ（Ｓｕｂｓｃｒｉｂｅ  Ｓｔａｔｉｏｎ）、無線機器（ｗｉｒｅｌｅｓｓ  ｄｅｖｉｃｅ）、ＰＤＡ（Ｐｅｒｓｏｎａｌ  Ｄｉｇｉｔａｌ  Ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）などと呼ぶこともできる。また、本発明において、ＢＳは一般に、ＵＥ及び／又は他のＢＳと通信する固定局（ｆｉｘｅｄ  ｓｔａｔｉｏｎ）を意味し、ＵＥ及び他のＢＳと通信して各種データ及び制御情報を交換する。ＢＳを、ＡＢＳ（Ａｄｖａｎｃｅｄ  Ｂａｓｅ  Ｓｔａｔｉｏｎ）、ＮＢ（Ｎｏｄｅ−Ｂ）、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）、ＰＳ（Ｐｒｏｃｅｓｓｉｎｇ  Ｓｅｒｖｅｒ）などと呼ぶこともできる。以下の本発明に関する説明てば、ＢＳをｅＮＢと総称する。
【００３１】
本発明でいうノード（ｎｏｄｅ）とは、ＵＥと通信して無線信号を送信／受信できる固定した地点（ｐｏｉｎｔ）を指す。様々な形態のｅＮＢをその名称にかかわらずノードとして用いることができる。例えば、ＢＳ、ＮＢ、ｅＮＢ、ピコ−セルｅＮＢ（ＰｅＮＢ）、ホームｅＮＢ（ＨｅＮＢ）、リレー、リピータなどをノードとすることができる。また、ノードは、ｅＮＢでなくてもよい。例えば、無線リモートヘッド（ｒａｄｉｏ  ｒｅｍｏｔｅ  ｈｅａｄ、ＲＲＨ）、無線リモートユニット（ｒａｄｉｏ  ｒｅｍｏｔｅ  ｕｎｉｔ、ＲＲＵ）であってもよい。ＲＲＨ、ＲＲＵなどは一般にｅＮＢの電力レベル（ｐｏｗｅｒ  ｌｅｖｅｌ）よりも低い電力レベルを有する。ＲＲＨ或いはＲＲＵ（以下、ＲＲＨ／ＲＲＵ）は一般に、光ケーブルなどの専用回線（ｄｅｄｉｃａｔｅｄ  ｌｉｎｅ）でｅＮＢに接続されており、よって、一般に無線回線で接続されているｅＮＢによる協調通信に比べて、ＲＲＨ／ＲＲＵとｅＮＢによる協調通信を円滑に行うことができる。１つのノードには少なくとも１つのアンテナが設置される。このアンテナは、物理アンテナを意味することもでき、アンテナポート、仮想アンテナ、又はアンテナグループを意味することもできる。ノードは、ポイント（ｐｏｉｎｔ）と呼ばれることもある。アンテナが基地局に集中して位置して１つのｅＮＢコントローラ（ｃｏｎｔｒｏｌｌｅｒ）によって制御される既存の（ｃｏｎｖｅｎｔｉｏｎａｌ）中央集中型アンテナシステム（ｃｅｎｔｒａｌｉｚｅｄ  ａｎｔｅｎｎａ  ｓｙｓｔｅｍ、ＣＡＳ）（すなわち、単一ノードシステム）と違い、多重ノードシステムにおいて複数のノードは一般に一定間隔以上で離れて位置する。これらの複数のノードは、各ノードの動作を制御したり、各ノードを通して送／受信されるデータをスケジューリング（ｓｃｈｅｄｕｌｉｎｇ）する１つ以上のｅＮＢ或いはｅＮＢコントローラによって管理することができる。各ノードは、当該ノードを管理するｅＮＢ或いはｅＮＢコントローラとケーブル（ｃａｂｌｅ）或いは専用回線（ｄｅｄｉｃａｔｅｄ  ｌｉｎｅ）で接続することができる。多重ノードシステムにおいて、複数のノードへの／からの信号送信／受信には、同一のセル識別子（ｉｄｅｎｔｉｔｙ、ＩＤ）が用いられてもよく、異なるセルＩＤが用いられてもよい。複数のノードが同一のセルＩＤを有すると、これら複数のノードのそれぞれは、１つのセルにおける一部のアンテナ集団のように動作する。多重ノードシステムにおいてノードが互いに異なるセルＩＤを有すると、このような多重ノードシステムを多重セル（例えば、マクロ−セル／フェムト−セル／ピコ−セル）システムと見なすことができる。複数のノードのそれぞれが形成した多重セルがカバレッジによってオーバーレイ（ｏｖｅｒｌａｙ）する形態で構成されると、これらの多重セルが形成したネットワークを特に多重−階層（ｍｕｌｔｉ−ｔｉｅｒ）ネットワークと呼ぶ。ＲＲＨ／ＲＲＵのセルＩＤとｅＮＢのセルＩＤは同一であっても、異なってもよい。ＲＲＨ／ＲＲＵとｅＮＢが互いに異なるセルＩＤを用いる場合、ＲＲＨ／ＲＲＵとｅＮＢはいずれも独立した基地局として動作する。
【００３２】
以下に説明する本発明の多重ノードシステムにおいて、複数のノードに接続した１つ以上のｅＮＢ或いはｅＮＢコントローラが、上記複数のノードの一部又は全てを介してＵＥに同時に信号を送信或いは受信するように上記複数のノードを制御することができる。各ノードの実体、各ノードの具現の形態などによって、多重ノードシステム間には差異点があるが、複数のノードが共に所定時間−周波数リソース上でＵＥに通信サービスを提供するために参加するという点で、これらの多重ノードシステムは単一ノードシステム（例えば、ＣＡＳ、従来のＭＩＭＯシステム、従来の中継システム、従来のリピータシステムなど）と異なる。そのため、複数のノードの一部又は全てを用いてデータ協調送信を行う方法に関する本発明の実施例は、種々の多重ノードシステムに適用可能である。例えば、ノードとは、通常、他のノードと一定間隔以上で離れて位置しているアンテナグループを指すが、後述する本発明の実施例は、ノードが間隔にかかわらずに任意のアンテナグループを意味する場合にも適用可能である。例えば、Ｘ−ｐｏｌ（Ｃｒｏｓｓ  ｐｏｌａｒｉｚｅｄ）アンテナを備えたｅＮＢの場合、該ｅＮＢが、Ｈ−ｐｏｌアンテナで構成されたノードとＶ−ｐｏｌアンテナで構成されたノードを制御すると見なし、本発明の実施例を適用することができる。
【００３３】
複数の送信（Ｔｘ）／受信（Ｒｘ）ノードを介して信号を送信／受信したり、複数の送信／受信ノードから選択された少なくとも１つのノードを介して信号を送信／受信したり、下りリンク信号を送信するノードと上りリンク信号を受信するノードとを別にし得る通信技法を、多重−ｅＮＢ ＭＩＭＯ又はＣｏＭＰ（Ｃｏｏｒｄｉｎａｔｅｄ  Ｍｕｌｔｉ−Ｐｏｉｎｔ  ｔｒａｎｓｍｉｓｓｉｏｎ／ｒｅｃｅｐｔｉｏｎ）という。このようなノード間協調通信のうち、協調送信技法は、ＪＰ（ｊｏｉｎｔ  ｐｒｏｃｅｓｓｉｎｇ）とスケジューリング協調（ｓｃｈｅｄｕｌｉｎｇ  ｃｏｏｒｄｉｎａｔｉｏｎ）とに区別できる。前者はＪＴ（ｊｏｉｎｔ  ｔｒａｎｓｍｉｓｓｉｏｎ）／ＪＲ（ｊｏｉｎｔ  ｒｅｃｅｐｔｉｏｎ）とＤＰＳ（ｄｙｎａｍｉｃ  ｐｏｉｎｔ  ｓｅｌｅｃｔｉｏｎ）とに区別し、後者はＣＳ（ｃｏｏｒｄｉｎａｔｅｄ  ｓｃｈｅｄｕｌｉｎｇ）とＣＢ（ｃｏｏｒｄｉｎａｔｅｄ  ｂｅａｍｆｏｒｍｉｎｇ）とに区別できる。ＤＰＳは、ＤＣＳ（ｄｙｎａｍｉｃ  ｃｅｌｌ  ｓｅｌｅｃｔｉｏｎ）と呼ぶこともできる。他の協調通信技法に比べて、ノード間協調通信技法のうちのＪＰを行うとき、より様々な通信環境を形成することができる。ＪＰにおいて、ＪＴは、複数のノードが同一のストリームをＵＥに送信する通信技法をいい、ＪＲは、複数のノードが同一のストリームをＵＥから受信する通信技法をいう。当該ＵＥ／ｅＮＢは、上記複数のノードから受信した信号を合成して上記ストリームを復元する。ＪＴ／ＪＲでは、同一のストリームが複数のノードから／に送信されるため、送信ダイバーシティ（ｄｉｖｅｒｓｉｔｙ）によって信号送信の信頼度を向上させることができる。ＪＰのＤＰＳは、複数のノードから特定規則によって選択された１つのノードを介して信号が送信／受信される通信技法をいう。ＤＰＳでは、通常、ＵＥとノード間のチャネル状態の良いノードが通信ノードとして選択されるはずであるため、信号送信の信頼度を向上させることができる。
【００３４】
本発明でいうセル（ｃｅｌｌ）とは、１つ以上のノードが通信サービスを提供する一定の地理的領域をいう。そのため、本発明で特定セルと通信するということは、特定セルに通信サービスを提供するｅＮＢ或いはノードと通信することを意味できる。また、特定セルの下りリンク／上りリンク信号は、該特定セルに通信サービスを提供するｅＮＢ或いはノードからの／への下りリンク／上りリンク信号を意味する。ＵＥに上り／下りリンク通信サービスを提供するセルを特にサービングセル（ｓｅｒｖｉｎｇ  ｃｅｌｌ）という。また、特定セルのチャネル状態／品質は、該特定セルに通信サービスを提供するｅＮＢ或いはノードとＵＥ間に形成されたチャネル或いは通信リンクのチャネル状態／品質を意味する。３ＧＰＰ ＬＴＥ−Ａベースのシステムにおいて、ＵＥは、特定ノードからの下りリンクチャネル状態を、上記特定ノードのアンテナポートが上記特定ノードに割り当てられたＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）リソース上で送信するＣＳＩ−ＲＳを用いて測定することができる。一般に、隣接したノードは、互いに直交するＣＳＩ−ＲＳリソース上で該当のＣＳＩ−ＲＳリソースを送信する。ＣＳＩ−ＲＳリソースが直交するということは、ＣＳＩ−ＲＳを運ぶシンボル及び副搬送波を特定するＣＳＩ−ＲＳリソース構成（ｒｅｓｏｕｒｃｅ  ｃｏｎｆｉｇｕｒａｔｉｏｎ）、サブフレームオフセット（ｏｆｆｓｅｔ）及び送信周期（ｔｒａｎｓｍｉｓｓｉｏｎ  ｐｅｒｉｏｄ）などによってＣＳＩ−ＲＳが割り当てられたサブフレームを特定するサブフレーム構成（ｓｕｂｆｒａｍｅ  ｃｏｎｆｉｇｕｒａｔｉｏｎ）、ＣＳＩ−ＲＳシーケンスのうちの少なくとも１つが互いに異なることを意味する。
【００３５】
本発明において、ＰＤＣＣＨ（Ｐｈｙｓｉｃａｌ  Ｄｏｗｎｌｉｎｋ  Ｃｏｎｔｒｏｌ  ＣＨａｎｎｅｌ）／ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）／ＰＨＩＣＨ（（Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ）／ＰＤＳＣＨ（Ｐｈｙｓｉｃａｌ  Ｄｏｗｎｌｉｎｋ  Ｓｈａｒｅｄ  ＣＨａｎｎｅｌ）はそれぞれ、ＤＣＩ（Ｄｏｗｎｌｉｎｋ  Ｃｏｎｔｒｏｌ  Ｉｎｆｏｒｍａｔｉｏｎ）／ＣＦＩ（Ｃｏｎｔｒｏｌ  Ｆｏｒｍａｔ  Ｉｎｄｉｃａｔｏｒ）／下りリンクＡＣＫ／ＮＡＣＫ（ＡＣＫｎｏｗｌｅｇｅｍｅｎｔ／Ｎｅｇａｔｉｖｅ  ＡＣＫ）／下りリンクデータを運ぶ時間−周波数リソースの集合或いはリソース要素の集合を意味する。また、ＰＵＣＣＨ（Ｐｈｙｓｉｃａｌ  Ｕｐｌｉｎｋ  Ｃｏｎｔｒｏｌ  ＣＨａｎｎｅｌ）／ＰＵＳＣＨ（Ｐｈｙｓｉｃａｌ  Ｕｐｌｉｎｋ  Ｓｈａｒｅｄ  ＣＨａｎｎｅｌ）／ＰＲＡＣＨ（Ｐｈｙｓｉｃａｌ  Ｒａｎｄｏｍ  Ａｃｃｅｓｓ  ＣＨａｎｎｅｌ）はそれぞれ、ＵＣＩ（Ｕｐｌｉｎｋ  Ｃｏｎｔｒｏｌ  Ｉｎｆｏｒｍａｔｉｏｎ）／上りリンクデータ／ランダムアクセス信号を運ぶ時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、又はそれに属した時間−周波数リソース或いはリソース要素（Ｒｅｓｏｕｒｃｅ  Ｅｌｅｍｅｎｔ、ＲＥ）をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと呼ぶ。以下でユーザ機器がＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で或いは介して上りリンク制御情報／上りリンクデータ／ランダムアクセス信号を送信するという表現と同じ意味で使われる。また、ｅＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で或いは介して下りリンクデータ／制御情報を送信するという表現と同じ意味で使われる。
【００３６】
図１は、無線通信システムで用いられる無線フレーム構造の一例を示す図である。特に、図１（ａ）は、３ＧＰＰ ＬＴＥ／ＬＴＥ−Ａシステムで用いられる周波数分割デュプレックス（ｆｒｅｑｕｅｎｃｙ  ｄｉｖｉｓｉｏｎ  ｄｕｐｌｅｘ、ＦＤＤ）用フレーム構造を示しており、図１（ｂ）は、３ＧＰＰ ＬＴＥ／ＬＴＥ−Ａシステムで用いられる時分割デュプレックス（ｔｉｍｅ  ｄｉｖｉｓｉｏｎ  ｄｕｐｌｅｘ、ＴＤＤ）用フレーム構造を示している。
【００３７】
図１を参照すると、３ＧＰＰ ＬＴＥ／ＬＴＥ−Ａシステムで用いられる無線フレームは、１０ｍｓ（３０７２００Ｔs）の長さを有し、１０個の均等なサイズのサブフレーム（ｓｕｂｆｒａｍｅ、ＳＦ）で構成される。1無線フレームにおける１０個のサブフレームにはそれぞれ番号を与えることができる。ここで、Ｔsは、サンプリング時間を表し、Ｔs＝１／（２０４８＊１５ｋＨｚ）で表示される。それぞれのサブフレームは、１ｍｓの長さを有し、２個のスロットで構成される。1無線フレームにおいて２０個のスロットには０から１９までの番号を順次に与えることができる。それぞれのスロットは０．５ｍｓの長さを有する。１サブフレームを送信するための時間は、送信時間間隔（ｔｒａｎｓｍｉｓｓｉｏｎ  ｔｉｍｅ  ｉｎｔｅｒｖａｌ、ＴＴＩ）と定義される。時間リソースは、無線フレーム番号（或いは、無線フレームインデックスともいう）、サブフレーム番号（或いは、サブフレームインデックスともいう）、スロット番号（或いは、スロットインデックスともいう）などによって区別することができる。
【００３８】
無線フレームは、デュプレックス（ｄｕｐｌｅｘ）技法によって別々に設定（ｃｏｎｆｉｇｕｒｅ）することができる。例えば、ＦＤＤにおいて、下りリンク送信及び上りリンク送信は周波数によって区別されるため、無線フレームは特定周波数帯域に対して下りリンクサブフレーム又は上りリンクサブフレームのいずれか１つのみを含む。ＴＤＤでは下りリンク送信及び上りリンク送信が時間によって区別されるため、特定周波数帯域に対して無線フレームは下りリンクサブフレームも上りリンクサブフレームも含む。
【００３９】
表１は、ＴＤＤで、無線フレームにおけるサブフレームのＤＬ−ＵＬ構成（ｃｏｎｆｉｇｕｒａｔｉｏｎ）を例示するものである。
【表１】
2015534326.tif 000003
【００４０】
表１で、Ｄは下りリンクサブフレームを、Ｕは上りリンクサブフレームを、Ｓは特異（ｓｐｅｃｉａｌ）サブフレームを表す。特異サブフレームは、ＤｗＰＴＳ（Ｄｏｗｎｌｉｎｋ  Ｐｉｌｏｔ  ＴｉｍｅＳｌｏｔ）、ＧＰ（Ｇｕａｒｄ  Ｐｅｒｉｏｄ）、ＵｐＰＴＳ（Ｕｐｌｉｎｋ  Ｐｉｌｏｔ  ＴｉｍｅＳｌｏｔ）の３つのフィールドを含む。ＤｗＰＴＳは、下りリンク送信のために留保される時間区間であり、ＵｐＰＴＳは上りリンク送信のために留保される時間区間である。表２は、特異サブフレーム構成を例示するものである。
【表２】
2015534326.tif 000004
【００４１】
図２は、無線通信システムにおいて下りリンク／上りリンク（ＤＬ／ＵＬ）スロット構造の一例を示す図である。特に、図２は、３ＧＰＰ ＬＴＥ／ＬＴＥ−Ａシステムのリソース格子（ｒｅｓｏｕｒｃｅ  ｇｒｉｄ）の構造を示す。アンテナポート当たりに１個のリソース格子がある。
【００４２】
【数１】
2015534326.tif 000005
【００４３】
ＯＦＤＭシンボルは、多元接続方式によって、ＯＦＤＭシンボル、ＳＣ−ＦＤＭ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅｘｉｎｇ）シンボルなどと呼ぶことができる。１つのスロットに含まれるＯＦＤＭシンボルの数は、チャネル帯域幅、ＣＰ長によって様々に変更可能である。例えば、正規（ｎｏｒｍａｌ）ＣＰの場合は、１つのスロットが７個のＯＦＤＭシンボルを含むが、拡張（ｅｘｔｅｎｄｅｄ）ＣＰの場合は、１つのスロットが６個のＯＦＤＭシンボルを含む。図２では、説明の便宜のために、１つのスロットが７ ＯＦＤＭシンボルで構成されるサブフレームを例示するが、本発明の実施例は、その他の個数のＯＦＤＭシンボルを有するサブフレームにも同様の方式で適用されてもよい。図２を参照すると、各ＯＦＤＭシンボルは、周波数ドメインで、
【数２】
2015534326.tif 000006
の副搬送波を含む。副搬送波の類型は、データ送信のためのデータ副搬送波、参照信号（ｒｅｆｅｒｅｎｃｅ  ｓｉｇｎａｌ）の送信のための参照信号副搬送波、ガードバンド（ｇｕａｒｄ  ｂａｎｄ）及びＤＣ（Ｄｉｒｅｃｔ  Ｃｕｒｒｅｎｔ）成分のためのヌル（ｎｕｌｌ）副搬送波に分類することができる。 ＤＣ成分のためのヌル副搬送波は、未使用のまま残される副搬送波であり、ＯＦＤＭ信号生成過程或いは周波数アップ変換過程で搬送波周波数（ｃａｒｒｉｅｒ  ｆｒｅｑｕｅｎｃｙ、ｆ0）にマップされる。搬送波周波数は中心周波数（ｃｅｎｔｅｒ  ｆｒｅｑｕｅｎｃｙ、ｆc）と呼ばれることもある。
【００４４】
【数３】
2015534326.tif 000007
【００４５】
１サブフレームにおいて
【数４】
2015534326.tif 000008
の連続した同一副搬送波を占有しながら、当該サブフレームにおける２個のスロットのそれぞれに１個ずつ位置する２個のＲＢを物理リソースブロック（ｐｈｙｓｉｃａｌ  ｒｅｓｏｕｒｃｅ  ｂｌｏｃｋ、ＰＲＢ）対（ｐａｉｒ）という。ＰＲＢ対を構成する２個のＲＢは、同一のＰＲＢ番号（或いは、、ＰＲＢインデックスともいう）を有する。ＶＲＢは、リソース割当のために導入された一種の論理的リソース割当単位である。ＶＲＢはＰＲＢと同じサイズを有する。ＶＲＢをＰＲＢにマップする方式によって、ＶＲＢは、局部（ｌｏｃａｌｉｚｅｄ）タイプのＶＲＢと分散（ｄｉｓｔｒｉｂｕｔｅｄ）タイプのＶＲＢとに区別される。局部タイプのＶＲＢはＰＲＢに直接マップされて、ＶＲＢ番号（ＶＲＢインデックスともいう）がＰＲＢ番号に直接対応する。すなわち、ｎPRB＝ｎVRBとなる。局部タイプのＶＲＢには０からＮDLVRB−１順に番号が与えられ、ＮDLVRB＝ＮDLRBである。したがって、局部マップ方式によれば、同一のＶＲＢ番号を有するＶＲＢが第１のスロットと第２のスロットにおいて、同一ＰＲＢ番号のＰＲＢにマップされる。一方、分散タイプのＶＲＢはインターリービングを経てＰＲＢにマップされる。そのため、同一のＶＲＢ番号を有する分散タイプのＶＲＢは、第１のスロットと第２のスロットにおいて互いに異なる番号のＰＲＢにマップされることがある。サブフレームの２つのスロットに１個ずつ位置し、同一のＶＲＢ番号を有する２個のＰＲＢをＶＲＢ対と称する。
【００４６】
図３は、３ＧＰＰ ＬＴＥ／ＬＴＥ−Ａシステムで用いられる下りリンク（ｄｏｗｎｌｉｎｋ、ＤＬ）サブフレーム構造を例示する図である。
【００４７】
図３を参照すると、ＤＬサブフレームは、時間ドメインで制御領域（ｃｏｎｔｒｏｌ  ｒｅｇｉｏｎ）とデータ領域（ｄａｔａ  ｒｅｇｉｏｎ）とに区別される。図３を参照すると、サブフレームの第１のスロットで先頭部における最大３（或いは４）個のＯＦＤＭシンボルは、制御チャネルが割り当てられる制御領域に対応する。以下、ＤＬサブフレームでＰＤＣＣＨ送信に利用可能なリソース領域（ｒｅｓｏｕｒｃｅ  ｒｅｇｉｏｎ）をＰＤＣＣＨ領域と称する。制御領域に用いられるＯＦＤＭシンボル以外のＯＦＤＭシンボルは、ＰＤＳＣＨが割り当てられるデータ領域に該当する。以下、ＤＬサブフレームでＰＤＳＣＨ送信に利用可能なリソース領域をＰＤＳＣＨ領域と称する。３ＧＰＰ ＬＴＥで用いられるＤＬ制御チャネルの例としては、ＰＣＦＩＣＨ、ＰＤＣＣＨ、ＰＨＩＣＨなどを含む。ＰＣＦＩＣＨは、サブフレームの最初のＯＦＤＭシンボルで送信され、サブフレームにおいて制御チャネルの送信に用いられるＯＦＤＭシンボルの個数に関する情報を運ぶ。ＰＨＩＣＨは、ＵＬ送信に対する応答としてＨＡＲＱ（Ｈｙｂｒｉｄ  Ａｕｔｏｍａｔｉｃ  Ｒｅｐｅａｔ  Ｒｅｑｕｅｓｔ）ＡＣＫ／ＮＡＣＫ（ａｃｋｎｏｗｌｅｄｇｍｅｎｔ／ｎｅｇａｔｉｖｅ−ａｃｋｎｏｗｌｅｄｇｍｅｎｔ）信号を運ぶ。
【００４８】
ＰＤＣＣＨを介して送信される制御情報を上りリンク制御情報（ＤＣＩ）と呼ぶ。ＤＣＩは、ＵＥ又はＵＥグループのためのリソース割当情報及び他の制御情報を含む。例えば、ＤＣＩは、ＤＬ共有チャネル（ｄｏｗｎｌｉｎｋ  ｓｈａｒｅｄ  ｃｈａｎｎｅｌ、ＤＬ−ＳＣＨ）の送信フォーマット及びリソース割当情報、ＵＬ共有チャネル（ｕｐｌｉｎｋ  ｓｈａｒｅｄ  ｃｈａｎｎｅｌ、ＵＬ−ＳＣＨ）の送信フォーマット及びリソース割当情報、ページングチャネル（ｐａｇｉｎｇ  ｃｈａｎｎｅｌ、ＰＣＨ）上のページング情報、ＤＬ−ＳＣＨ上のシステム情報、ＰＤＳＣＨ上で送信されるランダムアクセス応答のような上位層（ｕｐｐｅｒ  ｌａｙｅｒ）制御メッセージのリソース割当情報、ＵＥグループ内の個別ＵＥへの送信電力制御命令（Ｔｒａｎｓｍｉｔ  Ｃｏｎｔｒｏｌ  Ｃｏｍｍａｎｄ  Ｓｅｔ）、送信電力制御（Ｔｒａｎｓｍｉｔ  Ｐｏｗｅｒ  Ｃｏｎｔｒｏｌ）命令、ＶｏＩＰ（Ｖｏｉｃｅ  ｏｖｅｒ  ＩＰ）の活性化（ａｃｔｉｖａｔｉｏｎ）指示情報、ＤＡＩ（Ｄｏｗｎｌｉｎｋ  Ａｓｓｉｇｎｍｅｎｔ  Ｉｎｄｅｘ）などを含む。ＤＬ共有チャネル（ｄｏｗｎｌｉｎｋ  ｓｈａｒｅｄｃｈａｎｎｅｌ、ＤＬ−ＳＣＨ）の送信フォーマット（Ｔｒａｎｓｍｉｔ  Ｆｏｒｍａｔ）及びリソース割当情報は、ＤＬスケジューリング情報或いはＤＬグラント（ＤＬ  ｇｒａｎｔ）とも呼ばれ、ＵＬ共有チャネル（ｕｐｌｉｎｋ  ｓｈａｒｅｄ  ｃｈａｎｎｅｌ、ＵＬ−ＳＣＨ）の送信フォーマット及びリソース割当情報は、ＵＬスケジューリング情報或いはＵＬグラント（ＵＬ  ｇｒａｎｔ）とも呼ばれる。１つのＰＤＣＣＨが運ぶＤＣＩは、ＤＣＩフォーマットによってそのサイズと用途が異なり、符号化率によってそのサイズが異なり得る。現在３ＧＰＰ ＬＴＥシステムでは、上りリンク用にフォーマット０及び４、下りリンク用にフォーマット１、１Ａ、１Ｂ、１Ｃ、１Ｄ、２、２Ａ、２Ｂ、２Ｃ、３、３Ａなどの様々なフォーマットが定義されている。ＤＣＩフォーマットのそれぞれの用途に応じて、ホッピングフラグ、ＲＢ割当（ＲＢ  ａｌｌｏｃａｔｉｏｎ）、ＭＣＳ（ｍｏｄｕｌａｔｉｏｎ  ｃｏｄｉｎｇｓｃｈｅｍｅ）、ＲＶ（ｒｅｄｕｎｄａｎｃｙ  ｖｅｒｓｉｏｎ）、ＮＤＩ（ｎｅｗ  ｄａｔａ  ｉｎｄｉｃａｔｏｒ）、ＴＰＣ（ｔｒａｎｓｍｉｔ  ｐｏｗｅｒ  ｃｏｎｔｒｏｌ）、循環遷移ＤＭＲＳ（ｃｙｃｌｉｃ  ｓｈｉｆｔ  ｄｅｍｏｄｕｌａｔｉｏｎ  ｒｅｆｅｒｅｎｃｅ  ｓｉｇｎａｌ）、ＵＬインデックス、ＣＱＩ（ｃｈａｎｎｅｌ  ｑｕａｌｉｔｙ  ｉｎｆｏｒｍａｔｉｏｎ）要請、ＤＬ割当インデックス（ＤＬ  ａｓｓｉｇｎｍｅｎｔ  ｉｎｄｅｘ）、ＨＡＲＱプロセスナンバー、ＴＰＭＩ（ｔｒａｎｓｍｉｔｔｅｄ  ｐｒｅｃｏｄｉｎｇ  ｍａｔｒｉｘ  ｉｎｄｉｃａｔｏｒ）、ＰＭＩ（ｐｒｅｃｏｄｉｎｇ  ｍａｔｒｉｘ  ｉｎｄｉｃａｔｏｒ）情報などの制御情報が適宜選択された組合せが下りリンク制御情報としてＵＥに送信される。
【００４９】
一般に、ＵＥに構成された送信モード（ｔｒａｎｓｍｉｓｓｉｏｎ  ｍｏｄｅ、ＴＭ）によって当該ＵＥに送信可能なＤＣＩフォーマットが異なる。換言すれば、特定送信モードに構成されたＵＥのためには、いかなるＤＣＩフォーマットを用いてもよいわけではなく、特定送信モードに対応する一定ＤＣＩフォーマットのみを用いることができる。
【００５０】
ＰＤＣＣＨは、１つ又は複数の連続した制御チャネル要素（ｃｏｎｔｒｏｌ  ｃｈａｎｎｅｌ  ｅｌｅｍｅｎｔ、ＣＣＥ）の集成（ａｇｇｒｅｇａｔｉｏｎ）上で送信される。ＣＣＥは、ＰＤＣＣＨに無線チャネル状態に基づく符号化率（ｃｏｄｉｎｇ  ｒａｔｅ）を提供するために用いられる論理的割当ユニット（ｕｎｉｔ）である。ＣＣＥは、複数のリソース要素グループ（ｒｅｓｏｕｒｃｅ  ｅｌｅｍｅｎｔ  ｇｒｏｕｐ、ＲＥＧ）に対応する。例えば、１ ＣＣＥは９個のＲＥＧに対応し、１ ＲＥＧは４個のＲＥに対応する。３ＧＰＰ ＬＴＥシステムの場合、それぞれのＵＥのためにＰＤＣＣＨが位置してもよいＣＣＥセットを定義した。ＵＥが自身のＰＤＣＣＨを発見し得るＣＣＥセットを、ＰＤＣＣＨ探索空間、簡単に探索空間（Ｓｅａｒｃｈ  Ｓｐａｃｅ、ＳＳ）と呼ぶ。探索空間内でＰＤＣＣＨが送信されてもよい個別リソースをＰＤＣＣＨ候補（ｃａｎｄｉｄａｔｅ）と呼ぶ。ＵＥがモニタリング（ｍｏｎｉｔｏｒｉｎｇ）するＰＤＣＣＨ候補の集合を探索空間と定義する。３ＧＰＰ ＬＴＥ／ＬＴＥ−ＡシステムでそれぞれのＤＣＩフォーマットのための探索空間は異なるサイズを有してもよく、専用（ｄｅｄｉｃａｔｅｄ）探索空間と共通（ｃｏｍｍｏｎ）探索空間とが定義されている。専用探索空間は、ＵＥ−特定（ｓｐｅｃｉｆｉｃ）探索空間であり、それぞれの個別ＵＥのために構成（ｃｏｎｆｉｇｕｒａｔｉｏｎ）される。共通探索空間は、複数のＵＥのために構成される。次表は、探索空間を定義する集成レベルを例示するものである。
【表３】
2015534326.tif 000009
【００５１】
１つのＰＤＣＣＨ候補は、ＣＣＥ集成レベル（ａｇｇｒｅｇａｔｉｏｎ  ｌｅｖｅｌ）によって１、２、４又は８個のＣＣＥに対応する。ｅＮＢは、探索空間内の任意のＰＤＣＣＨ候補上で実際ＰＤＣＣＨ（ＤＣＩ）を送信し、ＵＥは、ＰＤＣＣＨ（ＤＣＩ）を探すために探索空間をモニタリングする。ここで、モニタリングとは、全てのモニタリングされるＤＣＩフォーマットによって当該探索空間内の各ＰＤＣＣＨの復号（ｄｅｃｏｄｉｎｇ）を試みる（ａｔｔｅｍｐｔ）ことを意味する。ＵＥは、上記複数のＰＤＣＣＨをモニタリングし、自身のＰＤＣＣＨを検出することができる。基本的に、ＵＥは、自身のＰＤＣＣＨが送信される位置を知らないことから、毎サブフレームごとに当該ＤＣＩフォーマットの全てのＰＤＣＣＨに対して、自身の識別子を有するＰＤＣＣＨを検出するまで復号を試みるが、このような過程をブラインド検出（ｂｌｉｎｄ  ｄｅｔｅｃｔｉｏｎ）（ブラインド復号（ｂｌｉｎｄ  ｄｅｃｏｄｉｎｇ、ＢＤ））という。
【００５２】
ｅＮＢは、データ領域を通してＵＥ或いはＵＥグループのためのデータを送信することができる。データ領域を通して送信されるデータをユーザデータと呼ぶこともできる。ユーザデータの送信のために、データ領域にはＰＤＳＣＨを割り当てることができる。ＰＣＨ（Ｐａｇｉｎｇ  ｃｈａｎｎｅｌ）及びＤＬ−ＳＣＨ（Ｄｏｗｎｌｉｎｋ−ｓｈａｒｅｄ  ｃｈａｎｎｅｌ）は、ＰＤＳＣＨを介して送信される。ＵＥは、ＰＤＣＣＨを介して送信される制御情報を復号し、ＰＤＳＣＨを介して送信されるデータを読むことができる。ＰＤＳＣＨのデータがどのＵＥ或いはＵＥグループに送信されるか、上記ＵＥ或いはＵＥグループがどのようにＰＤＳＣＨデータを受信して復号すればよいかなどを示す情報がＰＤＣＣＨに含まれて送信される。例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣ（ｃｙｃｌｉｃ  ｒｅｄｕｎｄａｎｃｙ  ｃｈｅｃｋ）マスキング（ｍａｓｋｉｎｇ）されており、「Ｂ」という無線リソース（例、周波数位置）及び「Ｃ」という送信形式情報（例、送信ブロックサイズ、変調方式、コーディング情報など）を用いて送信されるデータに関する情報が特定ＤＬサブフレームで送信されると仮定する。ＵＥは、自身の所有しているＲＮＴＩ情報を用いてＰＤＣＣＨをモニタリングし、「Ａ」というＲＮＴＩを有しているＵＥはＰＤＣＣＨを検出し、受信したＰＤＣＣＨの情報によって「Ｂ」と「Ｃ」で示されるＰＤＳＣＨを受信する。
【００５３】
ＵＥがｅＮＢから受信した信号を復調するには、データ信号と比較する参照信号（ｒｅｆｅｒｅｎｃｅ  ｓｉｇｎａｌ、ＲＳ）が必要である。参照信号とは、ｅＮＢがＵＥに或いはＵＥがｅＮＢに送信する、ｅＮＢとＵＥが互いに知っている、予め定義された特別な波形の信号を意味し、パイロット（ｐｉｌｏｔ）とも呼ばれる。参照信号は、セル内の全ＵＥに共用されるセル−特定（ｃｅｌｌ−ｓｐｅｃｉｆｉｃ）ＲＳと特定ＵＥに専用される復調（ｄｅｍｏｄｕｌａｔｉｏｎ）ＲＳ（ＤＭ ＲＳ）とに区別される。ｅＮＢが特定ＵＥのための下りリンクデータの復調のために送信するＤＭ ＲＳをＵＥ−特定的（ＵＥ−ｓｐｅｃｉｆｉｃ）ＲＳと特別に称することもできる。下りリンクでＤＭ ＲＳとＣＲＳは共に送信されてもよいが、いずれか一方のみが送信されてもよい。ただし、下りリンクでＣＲＳ無しにＭ ＲＳのみを送信される場合、データと同じプリコーダを適用して送信されるＤＭ ＲＳは復調の目的にのみ用いることができるため、チャネル測定用ＲＳを別途に提供しなければならない。例えば、３ＧＰＰ ＬＴＥ（−Ａ）では、ＵＥがチャネル状態情報を測定できるようにするために、追加の測定用ＲＳであるＣＳＩ−ＲＳが当該ＵＥに送信される。ＣＳＩ−ＲＳは、チャネル状態について相対的に時間による変化度が大きくないという事実に着目し、毎サブフレームごとに送信されるＣＲＳとは違い、複数のサブフレームで構成される所定の送信周期ごとに送信される。
【００５４】
図４は、３ＧＰＰ ＬＴＥ／ＬＴＥ−Ａシステムで用いられる上りリンク（ＵＬ）サブフレーム構造の一例を示す図である。
【００５５】
図４を参照すると、ＵＬサブフレームは、周波数ドメインで制御領域とデータ領域とに区別できる。１つ又は複数のＰＵＣＣＨを上りリンク制御情報（ＵＣＩ）を運ぶために制御領域に割り当てることができる。１つ又は複数のＰＵＳＣＨをユーザデータを運ぶためにＵＬサブフレームのデータ領域に割り当てることができる。
【００５６】
ＵＬサブフレームではＤＣ（Ｄｉｒｅｃｔ  Ｃｕｒｒｅｎｔ）副搬送波から遠く離れた副搬送波が制御領域として用いられる。換言すれば、ＵＬ送信帯域幅の両端部に位置する副搬送波が上りリンク制御情報の送信に割り当てられる。ＤＣ副搬送波は、信号送信に用いられずに残される成分であり、周波数上り変換過程で搬送波周波数ｆ０にマップされる。１つのＵＥのＰＵＣＣＨは１つのサブフレームで、１つの搬送波周波数で動作するリソースに属したＲＢ対に割り当てられ、このＲＢ対に属したＲＢは、２つのスロットでそれぞれ異なる副搬送波を占有する。このように割り当てられるＰＵＣＣＨを、ＰＵＣＣＨに割り当てられたＲＢ対がスロット境界で周波数ホッピングすると表現する。ただし、周波数ホッピングが適用されない場合には、ＲＢ対が同一の副搬送波を占有する。
【００５７】
ＰＵＣＣＨは、次の制御情報を送信するために用いることができる。
−  ＳＲ（Ｓｃｈｅｄｕｌｉｎｇ  Ｒｅｑｕｅｓｔ）：上りリンクＵＬ−ＳＣＨリソースを要請するために用いられる情報である。ＯＯＫ（Ｏｎ−Ｏｆｆ  Ｋｅｙｉｎｇ）方式を用いて送信される。
−  ＨＡＲＱ−ＡＣＫ：ＰＤＣＣＨに対する応答及び／又はＰＤＳＣＨ上の下りリンクデータパケット（例、コードワード）に対する応答である。ＰＤＣＣＨ或いはＰＤＳＣＨが成功的に受信されたか否かを示す。単一下りリンクコードワードに対する応答としてＨＡＲＱ−ＡＣＫ １ビットが送信され、２つの下りリンクコードワードに対する応答としてＨＡＲＱ−ＡＣＫ ２ビットが送信される。ＨＡＲＱ−ＡＣＫ応答は、ポジティブＡＣＫ（簡単に、ＡＣＫ）、ネガティブＡＣＫ（以下、ＮＡＣＫ）、ＤＴＸ（Ｄｉｓｃｏｎｔｉｎｕｏｕｓ  Ｔｒａｎｓｍｉｓｓｉｏｎ）又はＮＡＣＫ／ＤＴＸを含む。ここで、ＨＡＲＱ−ＡＣＫという用語は、ＨＡＲＱ ＡＣＫ／ＮＡＣＫ、ＡＣＫ／ＮＡＣＫと同じ意味で使われる。
−ＣＳＩ（Ｃｈａｎｎｅｌ  Ｓｔａｔｅ  Ｉｎｆｏｒｍａｔｉｏｎ）：下りリンクチャネルに対するフィードバック情報（ｆｅｅｄｂａｃｋ  ｉｎｆｏｒｍａｔｉｏｎ）である。ＭＩＭＯ（Ｍｕｌｔｉｐｌｅ  Ｉｎｐｕｔ  Ｍｕｌｔｉｐｌｅ  Ｏｕｔｐｕｔ）−関連フィードバック情報は、ＲＩ（Ｒａｎｋ  Ｉｎｄｉｃａｔｏｒ）及びＰＭＩ（Ｐｒｅｃｏｄｉｎｇ  Ｍａｔｒｉｘ  Ｉｎｄｉｃａｔｏｒ）を含む。
【００５８】
ＵＥがサブフレームで送信可能な上りリンク制御情報（ＵＣＩ）の量は、制御情報送信に可用なＳＣ−ＦＤＭＡの個数に依存する。ＵＣＩに可用なＳＣ−ＦＤＭＡは、サブフレームにおいて参照信号の送信のためのＳＣ−ＦＤＭＡシンボルを除く残りのＳＣ−ＦＤＭＡシンボルを意味し、ＳＲＳ（Ｓｏｕｎｄｉｎｇ  Ｒｅｆｅｒｅｎｃｅ  Ｓｉｇｎａｌ）が構成されているサブフレームでは、サブフレームの最後のＳＣ−ＦＤＭＡシンボルも除く。参照信号は、ＰＵＣＣＨのコヒーレント（ｃｏｈｅｒｅｎｔ）検出に用いられる。ＰＵＣＣＨは、送信される情報によって様々なフォーマットを支援する。下記の表４に、ＬＴＥ／ＬＴＥ−ＡシステムでＰＵＣＣＨフォーマットとＵＣＩとのマッピング関係を示す。
【表４】
2015534326.tif 000010
【００５９】
表４を参照すると、主に、ＰＵＣＣＨフォーマット１系列はＡＣＫ／ＮＡＣＫ情報を送信するために用いられ、ＰＵＣＣＨフォーマット２系列はＣＱＩ／ＰＭＩ／ＲＩなどのチャネル状態情報（ＣＳＩ）を運ぶために用いられ、ＰＵＣＣＨフォーマット３系列はＡＣＫ／ＮＡＣＫ情報を送信するために用いられる。
【００６０】
参照信号（Ｒｅｆｅｒｅｎｃｅ  Ｓｉｇｎａｌ；ＲＳ）
無線通信システムにおいてパケットを送信する場合、送信されるパケットは無線チャネルを介して送信されるため、送信過程で信号の歪みが発生しうる。歪まれた信号を受信側で正しく受信するためには、チャネル情報を用いて受信信号の歪みを補正しなければならない。チャネル情報を取得するためには、送信側と受信側の両方で知っている信号を送信し、該信号がチャネルを介して受信される時の歪み程度からチャネル情報を把握する方法を主に用いる。この信号をパイロット信号（Ｐｉｌｏｔ  Ｓｉｇｎａｌ）又は参照信号（Ｒｅｆｅｒｅｎｃｅ  Ｓｉｇｎａｌ）という。
【００６１】
多重アンテナを用いてデータを送受信する場合に、正しい信号を受信するためには、各送信アンテナと受信アンテナ間のチャネル状況を把握しなければならない。したがって、各送信アンテナ別に、より詳しくはアンテナポート（アンテナポート）別に個別の参照信号が存在しなければならない。
【００６２】
参照信号は、上りリンク参照信号と下りリンク参照信号とに区別できる。現在ＬＴＥシステムには上りリンク参照信号として、
ｉ）ＰＵＳＣＨ及びＰＵＣＣＨを介して送信された情報のコヒーレント（ｃｏｈｅｒｅｎｔ）な復調のためのチャネル推定のための復調参照信号（ＤＭ−ＲＳ）
ｉｉ）基地局が、ネットワークの異なる周波数における上りリンクチャネル品質を測定するために用いるサウンディング参照信号（Ｓｏｕｎｄｉｎｇ  Ｒｅｆｅｒｅｎｃｅ  Ｓｉｇｎａｌ、ＳＲＳ）がある。
【００６３】
一方、下りリンク参照信号には、
ｉ）セル内の全ての端末が共有するセル−特定参照信号（Ｃｅｌｌ−ｓｐｅｃｉｆｉｃ  Ｒｅｆｅｒｅｎｃｅ  Ｓｉｇｎａｌ、ＣＲＳ）
ｉｉ）特定端末のみのための端末−特定参照信号（ＵＥ−ｓｐｅｃｉｆｉｃ  Ｒｅｆｅｒｅｎｃｅ  Ｓｉｇｎａｌ）
ｉｉｉ）ＰＤＳＣＨが送信される場合、コヒーレントな復調のために送信される復調参照信号（ＤＭ−ＲＳ）
ｉｖ）下りリンクＤＭ ＲＳが送信される場合、チャネル状態情報（ＣＳＩ）を伝達するためのチャネル状態情報参照信号（ＣＳＩ−ＲＳ）
ｖ）ＭＢＳＦＮ（Ｍｕｌｔｉｍｅｄｉａ  Ｂｒｏａｄｃａｓｔ  Ｓｉｎｇｌｅ  Ｆｒｅｑｕｅｎｃｙ  Ｎｅｔｗｏｒｋ）モードで送信される信号に対するコヒーレントな復調のために送信されるＭＢＳＦＮ参照信号（ＭＢＳＦＮ  Ｒｅｆｅｒｅｎｃｅ  Ｓｉｇｎａｌ）
ｖｉ）端末の地理的位置情報を推定するために用いられる位置参照信号（Ｐｏｓｉｔｉｏｎｉｎｇ  Ｒｅｆｅｒｅｎｃｅ  Ｓｉｇｎａｌ）がある。
【００６４】
参照信号は、その目的によって２種類に大別できる。チャネル情報を取得するために用いられる参照信号と、データ復調のために用いられる参照信号とがある。前者は、ＵＥが下りリンク上のチャネル情報を取得できることに目的があるため、広帯域で送信されなければならず、特定サブフレームで下りリンクデータを受信しない端末であってもその参照信号を受信しなければならない。また、これはハンドオーバーなどの状況でも用いられる。後者は、基地局が下りリンク送信時に当該リソースで共に送る参照信号であり、端末は、当該参照信号を受信することによってチャネル測定をし、データを復調することができる。この参照信号は、データの送信される領域で送信しなければならない。
【００６５】
ＥＰＤＣＣＨ（Ｅｎｈａｎｃｅｄ  ＰＤＣＣＨ）一般
多重ノードシステムの導入によって、様々な通信技法の適用が可能になり、チャネル品質の改善を図ることができるが、前述したＭＩＭＯ技法及びセル間協調通信技法を多重ノード環境に適用するためには、新しい制御チャネルの導入が要望される。このような要望から、新しく導入が議論されている制御チャネルがＥＰＤＣＣＨ（Ｅｎｈａｎｃｅｄ−ＰＤＣＣＨ）であり、このチャネルは、既存の制御領域（以下、ＰＤＣＣＨ領域）ではなくデータ領域（以下、ＰＤＳＣＨ領域）に割り当てると決定された。結果として、このようなＥＰＤＣＣＨを介して各端末別にノードに関する制御情報を送信することが可能になり、既存のＰＤＣＣＨ領域が不足する問題も解決することができる。参考として、ＥＰＤＣＣＨは、既存のレガシー端末には提供されず、ＬＴＥ−Ａ端末のみが受信することができる。
【００６６】
図５は、ＥＰＤＣＣＨ、及びＥＰＤＣＣＨによってスケジューリングされるＰＤＳＣＨを例示する図である。
【００６７】
図５を参照すると、ＥＰＤＣＣＨは、一般に、データを送信するＰＤＳＣＨ領域の一部分を定義して用いることができ、端末は、自身のＥＰＤＣＣＨの有無を検出するためのブラインドデコーディング（ｂｌｉｎｄ  ｄｅｃｏｄｉｎｇ）過程を行わなければならない。ＥＰＤＣＣＨは、既存のＰＤＣＣＨと同じスケジューリング動作（すなわち、ＰＤＳＣＨ、ＰＵＳＣＨの制御）を行うが、ＲＲＨのようなノードに接続した端末の個数が増加すると、より多数のＥＰＤＣＣＨがＰＤＳＣＨ領域に割り当てられ、端末が行うべきブラインドデコーディングの回数が増加し、複雑度が増加するという短所がある。
【００６８】
一方、複数の端末のためのＥＰＤＣＣＨを多重化する方法も考慮する必要がある。具体的に、共通のリソース領域、すなわち、共通ＰＲＢセットが設定された状態で、複数端末のＥＰＤＣＣＨが周波数領域又は時間領域でクロスインターリービングされる方式で多重化される技法が提案されたことがある。
【００６９】
図６は、複数の端末のためのＥＰＤＣＣＨを多重化する方法を例示する図である。
【００７０】
特に、図６の（ａ）は、共通ＰＲＢセットがＰＲＢ対（ｐａｉｒ）単位で構成され、これに基づいてクロスインターリービングを行った例を示す。一方、図６の（ｂ）は、共通ＰＲＢセットがＰＲＢ単位のみで構成され、これに基づいてクロスインターリービングを行った例を示す。このような方式は、複数ＲＢにわたる周波数／時間ドメイン側面でダイバーシティ利得が得られるという長所がある。
【００７１】
搬送波集成（Ｃａｒｒｉｅｒ  Ａｇｇｒｅｇａｔｉｏｎ）
以下では、搬送波集成（ｃａｒｒｉｅｒ  ａｇｇｒｅｇａｔｉｏｎ；ＣＡ）技法に関して説明する。図８は、搬送波集成（ＣＡ）を説明する概念図である。
【００７２】
ＣＡは、無線通信システムがより広い帯域を使用するために、端末が上りリンクリソース（又は、コンポーネント搬送波）及び／又は下りリンクリソース（又は、コンポーネント搬送波）で構成された周波数ブロック又は（論理的意味の）セルを複数個用いて１つの大きな論理帯域として使用する方法を意味する。以下では、説明の便宜のために、コンポーネント搬送波という用語に統一するものとする。
【００７３】
図７を参照すると、全体システム帯域（Ｓｙｓｔｅｍ  Ｂａｎｄｗｉｄｔｈ；Ｓｙｓｔｅｍ  ＢＷ）は論理帯域であり、最大１００ＭＨｚの帯域幅を有する。全体システム帯域は、５個のコンポーネント搬送波（ｃｏｍｐｏｎｅｎｔ  ｃａｒｒｉｅｒ；ＣＣ）を含み、それぞれのコンポーネント搬送波は最大２０ＭＨｚの帯域幅を有する。コンポーネント搬送波は、物理的に連続した１つ以上の副搬送波を含む。図７では、それぞれのコンポーネント搬送波がいずれも同一の帯域幅を有するとしたが、これは例示であり、それぞれのコンポーネント搬送波は異なった帯域幅を有することもできる。また、それぞれのコンポーネント搬送波は、周波数領域で互いに隣接している例を示したが、同図は論理的な概念で示したもので、それぞれのコンポーネント搬送波は、物理的に隣接していても、離れていてもよい。
【００７４】
中心搬送波（Ｃｅｎｔｅｒ  ｆｒｅｑｕｅｎｃｙ）はそれぞれのコンポーネント搬送波に対して個別に使用してもよく、物理的に隣接したコンポーネント搬送波に対して共通した１つの中心搬送波を使用してもよい。一例として、図７で、全てのコンポーネント搬送波が物理的に隣接していると仮定すれば、中心搬送波Ａを使用することができる。また、それぞれのコンポーネント搬送波が物理的に隣接していないと仮定すれば、それぞれのコンポーネント搬送波に対して個別に中心搬送波Ａ、中心搬送波Ｂなどを使用することができる。
【００７５】
本明細書で、コンポーネント搬送波はレガシーシステムのシステム帯域に該当し得る。コンポーネント搬送波をレガシーシステムを基準に定義することによって、進展した端末とレガシー端末が共存する無線通信環境で、逆支援性（ｂａｃｋｗａｒｄ  ｃｏｍｐａｔｉｂｉｌｉｔｙ）を提供し、且つシステム設計を容易にさせることができる。一例として、ＬＴＥ−ＡシステムがＣＡを支援する場合に、それぞれのコンポーネント搬送波はＬＴＥシステムのシステム帯域に該当し得る。この場合、コンポーネント搬送波は、１．２５、２．５、５、１０又は２０ＭＨｚ帯域幅のいずれか１つを有することができる。
【００７６】
ＣＡによって全体システム帯域を拡張した場合に、各端末との通信に用いられる帯域はコンポーネント搬送波単位に定義される。端末Ａは、全体システム帯域である１００ＭＨｚを使用することができ、５個のコンポーネント搬送波の全てを用いて通信を行う。端末Ｂ１〜Ｂ５は、２０ＭＨｚ帯域幅のみを使用することができ、１つのコンポーネント搬送波を用いて通信を行う。端末Ｃ１及びＣ２は、４０ＭＨｚ帯域幅を使用することができ、それぞれ２つのコンポーネント搬送波を用いて通信を行う。該２つのコンポーネント搬送波は、論理／物理的に隣接してもよく、隣接しなくてもよい。端末Ｃ１は、隣接していない２つのコンポーネント搬送波を使用する場合を示し、端末Ｃ２は、隣接した２つのコンポーネント搬送波を使用する場合を示す。
【００７７】
ＬＴＥシステムの場合、１個の下りリンクコンポーネント搬送波と１個の上りリンクコンポーネント搬送波を用いるが、ＬＴＥ−Ａシステムでは複数のコンポーネント搬送波を用いることができる。このとき、制御チャネルがデータチャネルをスケジューリングする方式は、既存のリンク搬送波スケジューリング（Ｌｉｎｋｅｄ  ｃａｒｒｉｅｒ  ｓｃｈｅｄｕｌｉｎｇ）方式と交差搬送波スケジューリング（Ｃｒｏｓｓ  ｃａｒｒｉｅｒ  ｓｃｈｅｄｕｌｉｎｇ；ＣＣＳ）方式とに区別できる。
【００７８】
より具体的に、リンク搬送波スケジューリングは、単一コンポーネント搬送波を用いる既存ＬＴＥシステムと同様に、特定コンポーネント搬送波で送信される制御チャネルは、当該特定コンポーネント搬送波を用いてデータチャネルのみをスケジューリングする。
【００７９】
一方、交差スケジューリングは、搬送波指示子フィールド（Ｃａｒｒｉｅｒ  Ｉｎｄｉｃａｔｏｒ  Ｆｉｅｌｄ；ＣＩＦ）を用いて１次コンポーネント搬送波（Ｐｒｉｍａｒｙ  ＣＣ）で送信される制御チャネルが、当該１次コンポーネント搬送波で送信される或いは他のコンポーネント搬送波で送信されるデータチャネルをスケジューリングする。
【００８０】
図８は、交差搬送波スケジューリング技法が適用される例を示す図である。特に、図８では、端末に割り当てられたセル（又は、コンポーネント搬送波）の個数は３個であり、上述した通り、ＣＩＦを用いて交差搬送波スケジューリング技法を行う。ここで、下りリンクセル（又は、コンポーネント搬送波）＃０及び上りリンクセル（又は、コンポーネント搬送波）＃０は、それぞれ１次下りリンクコンポーネント搬送波（すなわち、Ｐｒｉｍａｒｙ  Ｃｅｌｌ；ＰＣｅｌｌ）及び１次上りリンクコンポーネント搬送波と仮定し、残りのコンポーネント搬送波は、副コンポーネント搬送波（すなわち、Ｓｅｃｏｎｄａｒｙ  Ｃｅｌｌ；ＳＣｅｌｌ）と仮定する。
【００８１】
本発明は、ＥＰＤＣＣＨ構成に関し、特に、ＥＰＤＣＣＨに割り当てられるＰＲＢ個数を選定する方法とそのシグナリング方式に関する。
【００８２】
ＥＰＤＣＣＨは、制御チャネルの容量（ｃａｐａｃｉｔｙ）を向上させるための目的で設計されたもので、ビームフォーミング利得（ｂｅａｍｆｏｒｍｉｎｇ  ｇａｉｎ）などを得るために、既存ＰＤＳＣＨ領域でＤＭ ＲＳベースで送信することかできる。ＥＰＤＣＣＨを送信するために、ｅＮＢ（或いは、ネットワーク）は各ＵＥにＥＰＤＣＣＨが送信され得る領域をシグナリングすることができる。さらにいうと、ｅＮＢはＫ個のＥＰＤＣＣＨ集合（ｓｅｔ）をＵＥに知らせることができ、各ＥＰＤＣＣＨ集合は、Ｎ個のＰＲＢ対で構成されており、互いに異なるＥＰＤＣＣＨ集合は、互いに異なるＮ値を有することができる。また、各ＥＰＤＣＣＨ集合は、局部（ｌｏｃａｌｉｚｅｄ）ＥＰＤＣＣＨ送信用途或いは分散（ｄｉｓｔｒｉｂｕｔｅｄ）ＥＰＤＣＣＨ送信用途に区別されてもよい。また、各ＥＰＤＣＣＨ集合は部分的に或いは全体的に他のＥＰＤＣＣＨ集合と重なってもよい。
【００８３】
Ｎの設定（Ｃｏｎｆｉｇｕｒａｔｉｏｎ）
各ＥＰＤＣＣＨ集合を構成するＰＲＢ対の個数であるＮは、ＥＰＤＣＣＨのスケジューリングセル（以下、ＰＣｅｌｌ）の帯域幅（Ｂａｎｄｗｉｄｔｈ；ＢＷ）と、ＥＤＰＣＣＨによってスケジューリングされるスケジューリングされたセル（以下、ＳＣｅｌｌ）のＢＷ値に影響を受けることがある。ＰＣｅｌｌの場合、十分のＢＷを有しないと（例えば、狭帯域システム）、ＥＰＤＣＣＨ用に割り当てられ得るリソースが限定されることになるため、相対的に小さい値にＮを設定しなければならない。したがって、ＰＣｅｌｌのＢＷによって、ＥＰＤＣＣＨ用に設定可能なＲＢ個数が制限されることになる。ＰＣｅｌｌのＢＷがＥＰＤＣＣＨ送信に割り当てられるＮの上限に関係するものであれば、ＳＣｅｌｌのＢＷは、ＥＰＤＣＣＨ送信に割り当てられるＮの下限に関係するものであるが、ＳＣｅｌｌのＢＷが大きいほどＥＰＤＣＣＨ ＤＣＩペイロードは大きい値を有し、当該ＤＣＩの送信に必要な最小のＲＢの個数が増加するためである。したがって、ＰＣｅｌｌとＳＣｅｌｌのＢＷを複合的に考慮すれば、Ｎは、ＳＣｅｌｌのＢＷによってＥＰＤＣＣＨ送信に最小限に必要なＲＢの個数よりも大きい値に設定されなければならず、その上限はＰＣｅｌｌでＥＰＤＣＣＨ送信に最大限に割当可能なＲＢの個数の値となる。
【００８４】
したがって、ＥＰＤＣＣＨが送信されるＰＣｅｌｌのＢＷを基準にＮ値を適切に選択することができる。例えば、特定臨界ＢＷ値、Ｔ１を定め、Ｔ１以下のＢＷではＮをＮ１に設定し、Ｔ１を超える場合にはＮをＮ２に設定できる（Ｎ１＜＝Ｎ２）。ここで、Ｎ１とＮ２は設定可能なＮ値の集合であってもよく、臨界値を２つ以上の段階に設定することも可能である。例えば、次のようにＮを決定することができる。
Ｉｆ ＢＷ＜＝Ｔ１，ｔｈｅｎ  Ｎ１（例えば、｛２，４｝）
Ｏｔｈｅｒｗｉｓｅ，Ｎ２（例えば、｛４，８｝）
【００８５】
すなわち、Ｔ１個のＲＢを基準に、それより小さい又は等しいＢＷにおいてＮは２或いは４の値を有し、Ｔ１個のＲＢを超えるＢＷでは４或いは８のＮを有することができる。
【００８６】
或いは、ＥＰＤＣＣＨによってスケジューリングされるＳＣｅｌｌのＢＷを基準にＮ値を適切に選択することもできる。例えば、特定臨界ＢＷ値、Ｔ２を定め、Ｔ２以下のＢＷではＮをＮ３に設定し、Ｔ２を超える場合にはＮをＮ４に設定できる（Ｎ３＜＝Ｎ４）。このとき、Ｎ３とＮ４は設定可能なＮ値の集合であってもよく、臨界値を２つ以上の段階に設定することも可能である。例えば、次のようにＮを決定することができる。
Ｉｆ  ＢＷ＜＝Ｔ２，ｔｈｅｎ  Ｎ３（例えば、｛２，４｝）
Ｏｔｈｅｒｗｉｓｅ，Ｎ４（例えば、｛４，８｝）
【００８７】
すなわち、Ｔ２個のＲＢを基準に、それより小さいか等しいＢＷにおいてＮは２或いは４の値を有し、Ｔ２個のＲＢを超えるＢＷでは４或いは８のＮを有することができる。
【００８８】
ＰＣｅｌｌとＳＣｅｌｌに対する臨界値を同時に適用することもできる。このとき、ＰＣｅｌｌとＳＣｅｌｌの可能なＢＷ組合せのいずれかのＢＷ組合せではＰＣｅｌｌとＳＣｅｌｌそれぞれの設定可能なＮ値が互いに異なることがある。したがって、このような場合には、ＰＣｅｌｌとＳＣｅｌｌのＮ値のうち、より小さいＮ値を有するセルの設定値を使用する。換言すれば、ＳＣｅｌｌのＢＷによって設定可能Ｎ値の範囲を決定するものの、Ｎは、ＰＣｅｌｌで割り当て可能な最大ＲＢ個数の範囲内に限定する。
【００８９】
例えば、上述の例で用いたＰＣｅｌｌとＳＣｅｌｌに対する臨界値を共に適用すると、可能なＮの設定範囲は、図９の通りである。ＳＣｅｌｌで｛４，８｝を支援する場合であってもＰＣｅｌｌで｛２，４｝まで支援できる場合（ＢＷ  ｏｆ  ｓｃｈｅｄｕｌｉｎｇ  ｃｅｌｌ＝＜Ｔ１  ａｎｄ  ＢＷ  ｏｆ  ｓｃｈｅｄｕｌｅｄ  ｃｅｌｌ＞Ｔ２）であれば、ＰＣｅｌｌの値に従う。同様に、ＰＣｅｌｌで｛４，８｝を支援する場合にＳＣｅｌｌで｛２，４｝まで支援できる場合（ＢＷ  ｏｆ  ｓｃｈｅｄｕｌｉｎｇ  ｃｅｌｌ＞Ｔ１  ａｎｄ  ＢＷ  ｏｆ  ｓｃｈｅｄｕｌｅｄｃｅｌｌ＝＜Ｔ２）であれば、ＳＣｅｌｌの値に従う。
【００９０】
Ｎが決定された後、ＵＥにＮをシグナリングする方法は、次の通りである。
【００９１】
まず、設定可能なＮのインデックス値をＲＲＣシグナリングによってＵＥに知らせる方法であり、上記Ｔ１臨界値を用いた場合のように２個ずつの設定可能なＮ値を有する場合には、より簡単に１ビットフラグを用いることができる。例えば、フラグ＝０の場合、ＢＷ＝＜Ｔ１ならＮ＝２、ＢＷ＞Ｔ１ならＮ＝４となる。フラグ＝１の場合、ＢＷ＝＜Ｔ１ならＮ＝４、ＢＷ＞Ｔ１ならＮ＝８となる。
【００９２】
他の方法として、特定臨界値を設定し、ＵＥは、当該臨界値を越えた否かを判断し、可能なＮ値のうちのいずれを使用するかを選択することもできる。臨界値は、使用可能なＲＥ個数／ＰＲＢ対などに対して設定することができる。例えば、
−  使用可能なＲＥ個数／ＰＲＢ対＜Ｘthresh（＝１０４）
Ｉｆ  ＢＷ＝＜Ｔ１，ｔｈｅｎ  Ｎ＝｛４｝
Ｏｔｈｅｒｗｉｓｅ，Ｎ＝｛８｝
−  使用可能なＲＥ個数／ＰＲＢ対＞＝Ｘthresh（＝１０４）
Ｉｆ  ＢＷ＝＜Ｔ１，ｔｈｅｎ  Ｎ＝｛２｝
Ｏｔｈｅｒｗｉｓｅ，Ｎ＝｛４｝
のように定義できる。これを図１０に示す。
【００９３】
ＥＰＤＣＣＨ集合に対するＰＲＢ割当
前述した通り、各ＥＰＤＣＣＨ集合をＮ個のＰＲＢ対で構成でき、ＵＥは、ＲＲＣシグナリングなどによって、ＥＰＣＣＨ集合を構成するＮ個のＰＲＢ対に対する構成（ｃｏｎｆｉｇｕｒａｔｉｏｎ）を取得することができる。このとき、全体ＰＲＢ集合のいずれのＰＲＢがＥＰＤＣＣＨに用いられるかに関する情報は、次のような方式でＵＥに伝達することができる。
【００９４】
まず、ビットマップを用いる方法がある。例えば、全体下りリンクシステム帯域幅がＮtot個のＲＢで構成された場合、Ｎtot個のビットを用いて各ＲＢがＥＰＤＣＣＨに割り当てられたか否かを知らせることができる。ｎ番目のビットがイネーブル（すなわち、「１」）された場合、ｎ番目のＲＢがＥＰＤＣＣＨに割り当てられたと考えることができる。ＲＢを示すビットは必ずしも順次にマップされず、あらかじめ定められた規則に従ってＲＢ ｔｏ ビットとマップされてもよい。２つ以上のＲＢが１群を形成するようにし、ＲＢ群に対してＥＤＰＣＣＨを割り当て、ビットマップで知らせることもできる。
【００９５】
図１１は、説明の便宜のために、全体帯域が１５個のＲＢで構成された場合を例示するもので、（ａ）０１００００１００００１０００、（ｂ）１１１０００１１１０００１１１、（ｃ）０００００１０１１０１０１１０とビットマップを構成できる。（ｂ）のように３個のＲＢが１個の群を形成する場合、（ｂ）１０１０１のようにビットマップを構成することもできる。
【００９６】
他の方法として、開始ＲＢの番号と連続するＲＢの個数との組合せをシグナリングする方法がある。
【００９７】
他の方法として、あらかじめ定義されたパターンがあり、当該パターンのインデックスをシグナリングすることで、ＥＰＤＣＣＨに割り当てられたＰＲＢ情報を伝達することもできる。例えば、Ｎ個のＲＢがＥＰＤＣＣＨに割り当てられたとすれば、各ＲＢが全体システム帯域に対して等間隔で分布するようにするｆｌｏｏｒ（システム帯域幅／Ｎ）個のパターンを考えることができる。ｅＮＢは、ｃｅｉｌｉｎｇ（ｌｏｇ２（パターンの数））ビットを用いて当該割当を知らせることができる。
【００９８】
図１１の（ａ）は、Ｎtot＝１５、Ｎ＝３の場合であり、全体システム帯域に対して等間隔に分布するパターンを定義すると、特定パターンを構成するＲＢ間の間隔は、１５ＲＢ／３＝５ＲＢになり、５個のパターンが存在する。各パターンの最小ＲＢインデックスを上記パターンのインデックスとして用いると、図１１の（ａ）は、５個のパターンのうち、パターンインデックス＝１に該当するパターンである。
【００９９】
任意の開始ＰＲＢインデックス及びシステム帯域幅／Ｎと定義されない間隔の組合せを用いて、当該開始ＰＲＢインデックスから上記間隔で離れたＰＲＢをＥＰＤＣＣＨ用として選択することもできる。このとき、当該ＥＰＤＣＣＨ集合を構成するＰＲＢ対インデックス（或いは、位置）がシステム帯域幅の範囲を超える場合には、当該ＰＲＢ対インデックス（或いは、位置）に対する循環移動（ｃｙｃｌｉｃ  ｓｈｉｆｔｉｎｇ）計算方式を適用することもできる。ここで、一例として、循環移動計算方式は「ＰＲＢ対インデックス（或いは、位置）ｍｏｄシステム帯域幅を構成する全体ＰＲＢ対の個数」のように表現できる。
【０１００】
同様に、任意の開始ＰＲＢインデックス及びシステム帯域幅／Ｎと定義されない間隔の組合せを用いてパターンを構成することも可能であり、任意のパターンを定義して各パターンにインデックスを与えて使用することも可能である。
【０１０１】
集成レベル及び対応するブラインドデコーディングの数の構成
一方、狭帯域システムのように、ＥＰＤＣＣＨに割り当てられたＮ（すなわち、ＰＲＢ対の数）が小さい場合、高い集成レベル（ａｇｇｒｅｇａｔｉｏｎ ｌｅｖｅｌ；ＡＬ）に対しては探索空間を構成し難いこともある。例えば、Ｎ＝２に設定されると、各ＰＲＢ対が４ＥＣＣＥを有する場合には、ＡＬ＝８以上の探索空間を設定できず、各ＰＲＢ対が２ＥＣＣＥを有する場合には、ＡＬ＝４以上の探索空間を設定できない。したがって、このような場合には、当該ＡＬに対する探索空間を他のＡＬに割り当ててもよい。すなわち、これは、ＵＥのＥＰＤＣＣＨ集合に対するブラインドデコーディング複雑度（すなわち、全体ブラインドデコーディング試行回数）は一定に維持しながら性能を向上させるための方法である。
【０１０２】
したがって、ＵＥに割り当てられた各ＥＰＤＣＣＨ集合に対して、ＥＣＣＥ／ＥＰＤＣＣＨ集合の個数によって各ＡＬに対するブラインドデコーディング回数、すなわち、ＰＤＣＣＨ候補個数を別々に設定してもよい。例えば、設定されたＥＰＤＣＣＨ集合内ＥＣＣＥの数よりも大きいＡＬが設定されている場合、これらＡＬに対するｅＰＤＣＣＨ候補の全てを、最も低いＡＬに割り当てたり、当該ＡＬよりも低いＡＬに最大限に均等に割り当てることができる。例えば、ＡＬ＝｛１，２，４，８｝に対して、ＰＤＣＣＨ又はｅＰＤＣＣＨ候補（以下、「候補」という。）をそれぞれ｛６，６，２，２｝と割り当てたとすれば、Ｎ＝２、ＰＲＢ対当たりＥＣＣＥの数（＃ ｏｆ ＥＣＣＥ／ＰＲＢ ｐａｉｒ）＝２に設定されると、ＥＰＤＣＣＨ集合当たりＥＣＣＥの数（＃ ｏｆ ＥＣＣＥ／ＥＰＤＣＣＨ ｓｅｔ）は４となり、ＡＬ＝８に対するＢＤは０回行うこととなる。したがって、ＡＬ＝８と割り当て可能だった２個の候補は初めから割り当てられなかったと見なしてもよく（*1）、最も低いＡＬであるＡＬ＝１に全て割り当てられてもよく（*2）、或いは最も低いＡＬから最大限に可能なＡＬまで順に割り当ててもよい（*3）。
【表５】
2015534326.tif 000011
【０１０３】
各ＡＬに対する候補個数は、ＲＲＣシグナリングなどを用いてＵＥに伝達することができる。すなわち、ｅＮＢは、ＥＰＤＣＣＨ集合を設定しながら、Ｎと共に各ＡＬに対する候補個数も併せて設定することができる。例えば、１個のＥＰＤＣＣＨ集合を設定しながら、ＡＬ＝｛１，２，４，８｝のそれぞれに対してＢＤの試行回数（＃ ｏｆ ＢＤ）＝｛６，６，２，２｝を設定することができる。シグナリングオーバーヘッドを減らすために、＃ ｏｆ ＢＤの設定可能な組合せを有限の個数とあらかじめ定義し、そのインデックスのみに設定する方法も可能である。
【表６】
2015534326.tif 000012
【０１０４】
上記の実施例で述べたＡＬは、一例であり、事前に定義された規則或いはシグナルによって他の値に設定されてもよいことは明らかである。また、同様に、上記の実施例に述べた特定ＡＬに連動している（或いは、割り当てられた）ＢＤの試行回数も（事前に定義された規則或いはシグナルによって）他の値（例えば、ＡＬ＝｛１，２，４，８｝のそれぞれに対するＢＤの試行回数はそれぞれ｛６，６，２，２｝に設定され得る）に設定されてもよい。
【０１０５】
このとき、設定されたＥＰＤＣＣＨ集合内ＥＣＣＥの数（＃ ｏｆ ＥＣＣＥ ｗｉｔｈｉｎ ａ ｃｏｎｆｉｇｕｒｅｄ ＥＰＤＣＣＨ ｓｅｔ）が特定ＡＬよりも小さくなる場合の例外処理は、直接的な方法と間接的な方法によって行うことができる。例えば、直接的な方式を用いると、ｅＮＢは、適切な方式を選択し、候補個数を再分配した後、ＵＥを再設定したり、新しい組合せに対応するインデックスをＵＥに伝達することができる。
【０１０６】
間接的な方式を用いると、ＵＥは、例外事項が発生する場合、あらかじめ定められた規則に従って例外処理をする。例えば、ｅＮＢ−ＵＥ間に例外処理事項が発生するとき*1の方式を用いるように約束された場合、ＵＥは、支援されないＡＬに対してはＢＤを行わず、他のＡＬに対しては、当初設定された通りにＢＤを行う。
【０１０７】
設定されたＥＰＤＣＣＨ集合内ＥＣＣＥの数（＃ ｏｆ ＥＣＣＥ ｗｉｔｈｉｎ ａ ｃｏｎｆｉｇｕｒｅｄ ＥＰＤＣＣＨ ｓｅｔ）が特定ＡＬよりも小さくなる場合は、前述した通り、Ｎ値に影響を受けるだけでなく、ＰＲＢ対当たりＥＣＣＥの数（＃ ｏｆ ＥＣＣＥ／ＰＲＢ ｐａｉｒ）が変更されたり、支援すべきＡＬが変更されたりすることによっても発生しうる。
【０１０８】
例えば、同一のＮに対して、設定されたＥＰＤＣＣＨ集合内ＥＣＣＥの数（＃ ｏｆ ＥＣＣＥ ｗｉｔｈｉｎ ａ ｃｏｎｆｉｇｕｒｅｄ ＥＰＤＣＣＨ ｓｅｔ）が変更される例として、特異サブフレーム（ｓｐｅｃｉａｌ  ｓｕｂｆｒａｍｅ）のような特定タイプのサブフレームでＰＲＢ対当たりＥＣＣＥの数（＃ ｏｆ ＥＣＣＥ／ＰＲＢ ｐａｉｒ）が他のサブフレームの１／ｋと減少する場合がある。このとき、Ｎが同一であれば、設定されたＥＰＤＣＣＨ集合内ＥＣＣＥの数（＃ ｏｆ ＥＣＣＥ ｗｉｔｈｉｎ ａ ｃｏｎｆｉｇｕｒｅｄ ＥＰＤＣＣＨ ｓｅｔ）（＝ ＃ ｏｆ ＥＣＣＥ ｗｉｔｈｉｎ Ｎ ＰＲＢ ｐａｉｒ）も１／ｋと減少する。他の場合として、ＡＬが変更される場合もある。これは、ＣＳＩ−ＲＳなどのような信号が当該サブフレームに割り当てられることによって使用可能なＰＲＢ対当たりＲＥの数（＃ ｏｆ ＲＥ／ＰＲＢ ｐａｉｒ）が１／ｍと減少する場合であり、このような場合には、支援すべきＡＬがｍ倍と増加する。これをまとめると、次の通りである。
【０１０９】
＃ ｏｆ ＥＣＣＥ ｗｉｔｈ ｉｎ Ｎ ＰＲＢ ｐａｉｒ＜＝（或いは、＜）ＡＬは、次のような場合に発生しうる
１）Ｎが減少−＞Ｎを増加させるように設定してもよい
２）＃ ｏｆ ＥＣＣＥ／ＰＲＢ ｐａｉｒ減少
３）ＡＬ増加
【０１１０】
上記１）が発生する場合、及びこの場合に新しくＢＤの試行回数を割り当てる方法については前述した。上記２）が発生する場合を挙げると、Ｎ＝２で＃ ｏｆ ＥＣＣＥ／ＰＲＢ ｐａｉｒ＝４に設定されたとき、最大ＡＬ＝８まで設定可能であるが、＃ ｏｆ ＥＣＣＥ／ＰＲＢ ｐａｉｒ＝２に変更されると、最大ＡＬ＝４まで設定可能となる場合がある。上記３）が発生する場合を挙げると、＃ ｏｆ ＲＥ／ＰＲＢ ｐａｉｒが１０４よりも小さくなるとき、支援すべきＡＬを｛１，２，４，８｝から｛２，４，８，１６｝に変更する場合がある。これは、ＰＲＢ対（ｐａｉｒ）当たり可用なＲＥの個数が１０４よりも小さいと、１個のＥＣＣＥを用いてＤＣＩペイロードを送信し難いこともあるからである。例えば、正規ＣＰを有するノーマルサブフレームは、ＰＲＢ対当たり４個のＥＣＣＥに設定され、このとき、ＰＲＢ対当たり可用なＲＥの数が１０４よりも小さいと、１個のＥＣＣＥ当たり２６個以下のＲＥを含むことになり、ＤＣＩを乗せることができないこともある。したがって、最小ＡＬを１段階上昇させることによって、より多いＥＣＣＥをＥＰＤＣＣＨに含めてＤＣＩを送信できるようにする。このとき、Ｎ＝２、＃ ｏｆ ＥＣＣＥ／ＰＲＢ ｐａｉｒ＝４であれば、ＡＬ＝１６は設定不可能である。
【０１１１】
上記２）及び上記３）の場合にも、上記１）の場合と同様に、支援できないＡＬが発生すると、該当のＡＬに割り当てられたＢＤの試行回数（すなわち、ＥＰＤＣＣＨの候補数）を*1、*2或いは*3などの方法を用いて他のＡＬに割り当てることができる。
【０１１２】
ＡＬは場合によって異なる値を有するように設定されてもよい。例えば、局部送信（ｌｏｃａｌｉｚｅｄ  ｔｒａｎｓｍｉｓｓｉｏｎ）のみに対してＡＬを４以下に限定できるはずである（これは、１つのＰＲＢ対内で全ての候補が構成されるようにするためである）。このように、あらかじめ設定されたＡＬ組合せよりも少ない範囲のＡＬのみを支援する場合が発生すると、各ＡＬに対するＢＤの試行回数は、*1、*2或いは*3などの方法を用いて、あらかじめ設定されたＡＬ組合せに対するＢＤの試行回数から導出して決定することができる。
【０１１３】
複数のＥＰＤＣＣＨ集合に対するブラインドデコーディング（ＢＤ）候補の割当
一方、ＵＥは、２つ以上のＥＰＤＣＣＨ集合と設定されうる。このとき、ブラインドデコーディング（ＢＤ）候補は、各ＥＰＤＣＣＨ集合に対して分けられるが、各ＥＰＤＣＣＨ集合の可能なＡＬに対して割り当てられる候補の個数は、ネットワークが任意に設定してもよく、暗黙的な規則（ｒｕｌｅ）によって決定されてもよい。ただし、全体ＢＤ候補の個数がレガシー（ｌｅｇａｃｙ）のそれと類似のレベルに維持されなければならない。
【０１１４】
暗黙的な規則によってＢＤ候補の個数が割り当てられるようにするには、設定可能な任意のＥＰＤＣＣＨ集合の個数と送信モード及び可能なＡＬ組合せに対して適用可能な規則が設計されなければならない。簡単な例として、ＥＰＤＣＣＨ集合を最大２個まで設定でき、ＡＬは各ＥＰＤＣＣＨ集合が同一に｛１，２，４，８｝を支援する場合を考えることができる。このとき、ＢＤ候補の個数は、次のように決定することができる。
【表７】
2015534326.tif 000013
【０１１５】
もし特定集合が全てのＡＬを支援できないと、各集合に対して独立的に、上述した例のように、支援不可能なＡＬに対するＢＤ性能を他のＡＬに分散したり、単純に該当のＡＬに対するＢＤを行わなくてもよい。
【０１１６】
他の方法として、全体集合において各ＡＬに対するＢＤ候補の数を一定に維持できるようにしてもよいが、特定集合で全てのＡＬが支援されない場合、残りの集合で当該ＡＬが支援されると、上記の支援されないＡＬに対するＢＤ候補を上記の残りの集合で支援するようにすることができる。もし、他の集合でも当該ＡＬが支援されないと、同一の集合内でＢＤ候補の再割当がなされるようにする。このとき、他の集合は、レガシーＰＤＣＣＨを含むことができる。もし＃ ｏｆ ＲＥｓ／ＰＲＢ ｐａｉｒ＜Ｘthreshとなり、支援可能なＡＬが｛２，４，８，１６｝に変更されると、集合１のＰＲＢ対の数（Ｎ１）が２の場合、ＡＬ＝１６は当該集合で構成できず、集合２のＡＬ＝１６に２個の候補を割り当てることができる。集合２のＰＲＢ対の数（Ｎ２）がこれを支援するに足りない場合（例えば、Ｎ２＝４）、当該ＢＤ候補はＡＬ＝２などに割り当てることができる。
【表８】
2015534326.tif 000014
【表９】
2015534326.tif 000015
【０１１７】
一方、常に一定レベル以上のＮを有する１次（ｐｒｉｍａｒｙ）集合を定義し、設定可能な範囲でＮに特別な制限がない２次（ｓｅｃｏｎｄａｒｙ）集合を定義することができる。１次集合のＮのレベルは、あらかじめ定められた値を使用し、任意の設定において最大ＡＬを支援できる最小Ｎ値を有するように約束することができる。例えば、＃ ｏｆ ＥＣＣＥｓ／ＰＲＢ ｐａｉｒ＝４であり、最大ＡＬが１６である場合、或いは、＃ ｏｆ ＥＣＣＥｓ／ＰＲＢ ｐａｉｒ＝２であり、最大ＡＬが８である場合において最大Ｎ値を有すると、１次集合の最小Ｎ値は４となる。このとき、最大ＡＬに対する候補をあらかじめ定められた個数以上に設定することができない場合（同一のＥＣＣＥにマップされる候補が発生）、最小候補の個数も考慮してＮ値を設定しなければならない。例えば、上記のＮ＝４の場合、ＡＬ＝８に対する候補は１個のみ設定可能である。したがって、ＡＬ＝８に対する候補を２個以上割り当てる場合には、１次集合のＮは８以上の値に設定されなければならない。
【０１１８】
１次集合は、最大ＡＬを保障するので、ＡＬを「ｈｉｇｈ」と 「ｌｏｗ」とに区別し、「ｈｉｇｈ」に属するＡＬを１次集合に、「ｌｏｗ」に該当するＡＬを２次集合に割り当てることができる。「ｈｉｇｈ」と「ｌｏｗ」を区別する絶対的な方法として、任意のＡＬ（例えば、ＡＬ＝４）以上を「ｈｉｇｈ」に設定する方法がありうる。或いは、全体設定可能なＡＬにおいて相対的にどれくらいのレベルにあるかを考慮して決定することもできる。例えば、ＡＬ＝１、２、４及び８を支援するとすれば、１、２は「ｌｏｗ」と、４、８は「ｈｉｇｈ」と区別できる。もし＃ ｏｆ ＲＥｓ／ＰＲＢ ｐａｉｒ＜Ｘthreshであって、ＡＬが｛２，４，８，１６｝へと変更されると、２、４は「ｌｏｗ」と、８、１６は「ｈｉｇｈ」と区別できる。このような方法を用いると、ＢＤ候補は次のように割り当てられる。
【表１０】
2015534326.tif 000016
【０１１９】
２次集合の場合、設定されたＮで使用可能なリソースの不足によって特定ＡＬが設定不可能になったとき、当該ＡＬに対する候補は、１次集合でのみ割り当てられるようにすることができる。例えば、２次集合がＮ２＝２と設定されたが、＃ ｏｆ ＲＥｓ／ＰＲＢ ｐａｉｒ＜Ｘthreshである場合、ＡＬが｛１，２，４，８｝から｛２，４，８，１６｝に変更されると、２次集合では、ＡＬ＝１６を有する候補は設定不可能になる。このような場合、ＡＬ＝１６に該当する候補はいずれも１次集合に割り当てられる。
【表１１】
2015534326.tif 000017
【０１２０】
これは、ＡＬを「ｈｉｇｈ」と「ｌｏｗ」とに区別し、２次集合に「ｌｏｗ」ＡＬのみが割り当てられるようにする場合（表１０）にも同様に適用することができる。「ｌｏｗ」ＡＬのみを割り当ててもＮが過度に小さく設定されたり、サブフレームタイプが変更されて＃ ｏｆ ＥＣＣＥ／ＰＲＢ ｐａｉｒが減少したりすることで、同一のＡＬに対してより大きいＮが必要となることがある（同様に、＃ ｏｆ ＲＥ／ＰＲＢ ｐａｉｒが減少する等して、ＡＬが増加し、同一のＤＣＩ送信に対してより大きいＮが必要となりうる）。
【０１２１】
前述した方式は、暗黙的規則として作用し、各ＥＰＤＣＣＨ集合に対するＡＬ、各ＡＬに該当するＢＤの候補数があらかじめ定義されていると、任意のＥＰＤＣＣＨ集合が割り当てられる時に適用することができる。他の方法として、ネットワークが各ＥＰＤＣＣＨ集合に対してＢＤ候補の個数を割り当ててＵＥにシグナリングすることもできるが、このとき、ネットワークは、上記と同様の方法を用いてＢＤ候補を各集合のＡＬに割り当てることができるはずてある。
【０１２２】
ネットワークがＢＤの候補数を設定する場合には、極端的に全体ＢＤの候補数に対する制限（ｌｅｇａｃｙと類似の程度）のみをおき、完全に柔軟性（ｆｕｌｌ  ｆｌｅｘｉｂｉｌｉｔｙ）を有する任意の組合せを考えることもできるが、こうする場合には無視できないシグナリングオーバーヘッドが引き起こるだろう。したがって、好適には、暗黙的規則によってＢＤの候補数を計算できなければならず、少なくともサブフレームタイプが変更されるなどの理由から特定ＡＬを同一Ｎで設定できなくなる例外状況に対する処理は、暗黙的規則によって決定されるようにすることができる。
【０１２３】
設定されたＥＰＤＣＣＨ集合内ＥＣＣＥの数がＡＬよりも小さくなる場合の例外処理については前述した。すなわち、これは、ＢＤの候補数を各ＡＬに対して割り当てるとき、特定ＡＬで構成可能な候補の数が制約されることもあるということを示している。このように該当のＡＬにあらかじめ特定されたＢＤ候補の数だけの候補構成が不可能な場合、残るＢＤの候補個数を他のＡＬに割り当てることになるが、このとき、残る候補の数は、該当のＡＬ以下のＡＬのうち、最高のＡＬから埋める形態で再割当できる。すなわち、該当のＡＬ以下のＡＬのうち、最大のＡＬに割り当ててから残った剰余ＢＤの候補の数は、その次に高いＡＬに対して優先的に割り当てる形態を反復する。このような過程は、最小のＡＬまで行われてもよく、あらかじめ定められた最小のＡＬまで反復的に行われてもよい。該当の集合における最小のＡＬに対して、割当の後にも残ったＢＤ候補があると、当該ＢＤ候補は割り当てられなくてもよく、他の集合に移転されてもよい。
【０１２４】
このように高いＡＬに対してＢＤ候補の割当に対する優先権を与えることは、高いＡＬを用いてＤＣＩが送信される場合に対する候補確保という意味を有することができる。すなわち、ＥＰＤＣＣＨを構成するＥＣＣＥの個数によって相対的に高いＡＬに対する構成に制約がある場合、次善に該当するＡＬに該当の候補を再割当することによって、相対的に低いＡＬとの公平性を持つようにすることができる。一例として、チャネルの悪い環境で高いＡＬが必要な場合、既に十分の候補を確保している低いＡＬに対してさらに候補を割り当てることは無意味でありうる。
【０１２５】
一例として、与えられた状況で基準ＡＬ＝Ｌがあるとき、ＡＬ＝Ｌ、２Ｌ、４Ｌ、８Ｌにそれぞれ｛６，６，２，２｝個のＢＤ候補を割り当てることを原則とすると仮定して前述の実施例を説明する。このとき、ＰＲＢ対が８個与えられると、総３２個のＥＣＣＥが生成され、基準Ｌ＝４と仮定し、同時にＡＬ＝３２は過度なリソースの消耗によって存在しないと仮定する。すると、まず、８Ｌに該当するＡＬ＝３２に対する候補２個は、他のＡＬに割り当てることができ、ＡＬ＝３２よりも小さいＡＬのうち、最も大きいＡＬ＝１６に割当を試みることができるが、既にＡＬ＝１６に存在する２つの候補は３２個のＥＣＣＥを全て消耗しているため、ＡＬ＝１６にさらなる候補を割り当てることはできない。したがって、その次のＡＬであるＡＬ＝８に割当を試みるが、３２個のＥＣＣＥでは総４個のＡＬ＝８の候補を作ることができるため、ここに割り当てられた６個の候補のうちの２つの候補がさらに残ることになる。したがって、総４個の余分の候補は、ＡＬ＝４に対して割当を試みる。ＡＬ＝４は、総８個の候補が存在できるため、２個の余分の候補を該ＡＬ＝４に対して割り当て、最後に残った２個の余分の候補は、ＡＬ＝２に割り当てる。その結果、ＡＬ＝１、２、４、８、１６にそれぞれ｛０，２，８，４，２｝個の候補が割り当てられる。
【０１２６】
下記の表は、このような原理に基づいてＢＤ候補を各状況に合わせて割り当てた場合を示すものである。ここで、基準レベルが４であるとき、２個のＰＲＢ対でＥＰＤＣＣＨ集合が設定される場合はないと仮定し、基準Ｌが４である場合にＡＬ＝１は存在しないと仮定した。
【表１２】
2015534326.tif 000018
【０１２７】
また、下記の表は、前述した実施例に適用された基準に基づいて実際に２つのＥＰＤＣＣＨ集合にＢＤ候補を割り当てた例を示す。ここで、Ｎ１とＮ２はそれぞれ、ＥＰＤＣＣＨ集合１と集合２のＰＲＢ対の個数を意味し、ＢＷはシステム帯域幅を、Ｍｉｎ ＡＬは、与えられたサブフレームで送信可能な最小のＡＬを意味する。Ｍｉｎ ＡＬは、前述したように、ＰＲＢ対当たり可用なＲＥの数が相対的に少ない場合などに変更され、例えば、ＰＲＢ対当たり可用ＲＥの数が１０４個未満である場合、Ｍｉｎ ＡＬが２に変更されうる。下記の表で適用した基準Ｌは、次のように仮定した。
基準Ｌ＝４
−  ＢＷが２５＊ＲＢよりも大きい状況で、Ｍｉｎ ＡＬ＝２であり、ＤＣＩフォーマット２系列を使用する場合
基準Ｌ＝２
−  ＢＷが２５＊ＲＢよりも大きい状況で、Ｍｉｎ ＡＬ＝２であり、ＤＣＩフォーマット０／１系列を使用する場合
−  ＢＷが２５＊ＲＢよりも大きい状況で、Ｍｉｎ ＡＬ＝１であり、ＤＣＩフォーマット２系列を使用する場合
−  ＢＷが２５＊ＲＢより小さいか等しいう状況で、Ｍｉｎ ＡＬ＝２であり、ＤＣＩフォーマット０／１系列を使用する場合
−  ＢＷが２５＊ＲＢより小さいか等しい状況で、Ｍｉｎ ＡＬ＝２であり、ＤＣＩフォーマット２系列を使用する場合
基準Ｌ＝１
その他の場合
【０１２８】
このとき、各ＥＰＤＣＣＨ集合に対してＢＤ候補は同一に割り当てると仮定した。すなわち、ＡＬ＝Ｌ、２Ｌ、４Ｌ、８Ｌにそれぞれ｛３，３，１，１｝個の候補を割り当てることを原則とする。
【表１３】
2015534326.tif 000019
【０１２９】
基準レベルＬは、必ずしも上記の例示で使われた値に制限されるものではなく、上記の表で使われた値に固定しなければならないものでもない。すなわち、場合によって、１、２、４以外の値に設定されてもよく、ＥＰＤＣＣＨの送信モード（Ｌｏｃａｌｉｚｅｄ  ｏｒ  Ｄｉｓｔｒｉｂｕｔｅ）及びその他のＥＰＤＣＣＨの性質をさらに考慮することによって、上記の表と同じ条件に対して他のＬ値が設定されてもよい。
【０１３０】
一方、本発明に関する実施例で、特定臨界値との大小比較によってある設定がなされる際、特定臨界値を含むか（「以下」又は「以上」）、又は特定臨界値を含まない（「未満」又は「超過」）という表現は、特定臨界値を含まないか、又は特定臨界値を含むという表現に取り替えてもよいことが当業者には明らかである。
【０１３１】
一方、このとき、各ＥＰＤＣＣＨ集合に対して基準レベルＬが別々に設定されてもよい。例えば、ＤＰＳのようなシナリオで、各ＥＰＤＣＣＨ集合は、互いに異なるＴＰから送信されることがある。この場合、仮に、ＴＰ１は２ポート−ＣＲＳを使用し、ＴＰ２は４ポート−ＣＲＳを使用すると、単一ＰＲＢ対でＴＰ１が送信するＥＰＤＣＣＨ集合１の可用ＲＥ数は、Ｘthreshよりも大きいが、ＴＰ２が送信するＥＰＤＣＣＨ集合２の可用ＲＥ数はＸthreshよりも小さいことがある。したがって、このような場合、基準レベルＬは、ＥＰＤＣＣＨ集合１に対してはＬ１＝１、ＥＰＤＣＣＨ集合２に対してはＬ２＝２と設定される。
【０１３２】
このように、基準レベルＬがＥＰＤＣＣＨ集合別に異なる場合、ＢＤ候補を各集合に対して分割（ｓｐｌｉｔ）するために、次のような２段階方式を用いることができる。
【０１３３】
第１段階：各ＥＰＤＣＣＨ集合の基準レベルＬが互いに同一であると仮定してＢＤ候補の分割を行う。
【０１３４】
すなわち、ＥＰＤＣＣＨ集合１のＬ１＝１、ＥＰＤＣＣＨ集合２のＬ２＝２である場合、両集合ともＬ＝１と仮定したり、Ｌ＝２と仮定してＢＤの候補を分割することができる。例えば、集合１と集合２に対してそれぞれＮ１＝４、Ｌ１＝１であり、Ｎ２＝８、Ｌ２＝２である場合、次の通りＢＤを割り当てることができる。
−  集合１：Ｌ＝１、Ｎ１＝４であり、ＡＬ＝｛１，２，４，８，１６｝に対す        る＃ ｏｆ ＢＤ候補＝｛３，３，１，１，０｝と決定できる。
−  集合２：Ｌ＝１、Ｎ２＝８であり、ＡＬ＝｛１，２，４，８，１６｝に対す        る＃ ｏｆ ＢＤ候補＝｛３，３，１，１，０｝と決定できる。
【０１３５】
第２段階：互いに異なるＬに対する補正を行う。第１段階でＬ＝Ｌ１（すなわち、Ｌ１とＬ２とが異なるが、第１段階で基準レベルＬをＬ１と仮定した場合）としてＢＤを割り当てた場合は、Ｌ２を有するＥＰＤＣＣＨ集合、すなわち、ＥＰＣＣＨ集合２に対するＢＤ候補のＡＬを調整しなければならないはずであり、調整後に最大のＡＬに対して割り当てられたＢＤ候補を全て支援できない場合には、他のＡＬに対して当該支援できない剰余ＢＤ候補を再割当する。再割当方式は、前述した方式のいずれかを用いることができる。集合２に対するＢＤ割当を調整すると、次の通りである。
−  集合１：Ｌ１＝１、Ｎ１＝４であり、ＡＬ＝｛１，２，４，８，１６｝に対        する＃ ｏｆ ＢＤ候補＝｛３，３，１，１，０｝と決定できる。
−  集合２：Ｌ２＝２、Ｎ２＝８であり、ＡＬ＝｛１，２，４，８，１６｝に対        する＃ ｏｆ ＢＤ候補＝｛０，３，３，１，１｝と決定できる。
【０１３６】
このとき、複数のＥＰＤＣＣＨ集合のいずれかを第１段階における基準Ｌとし、いずれかを第２段階で補正するかは重要でない。すなわち、前述では、ＥＰＤＣＣＨ集合１、Ｌ＝１を基準として第１段階を行い、第２段階でＥＰＤＣＣＨ集合２、すなわち、Ｌ２＝２に対して補正を行ったが、必ずしもこれに限定されない。
【０１３７】
例えば、サービングセルが送信するＥＰＤＣＣＨ集合を基準とすることもできる。仮にサービングセルが送信するＥＰＤＣＣＨ集合が集合１であり、基準Ｌ１＝２であるが、他のＴＰから送信されるＥＰＤＣＣＨ集合２が基準Ｌ２＝１であれば、基準レベルＬ＝２に対して第１段階を行い、第２段階でＥＰＤＣＣＨ集合２に対するＢＤ割当を調整することができる。又は、ＥＰＤＣＣＨ集合のうちの最小のＬを基準とすることもできる。この場合は、ＴＰ２から送信されるＥＰＤＣＣＨ集合２の基準レベルＬ２＝１を第１段階の基準としてＬ＝１を仮定し、第２段階でＥＰＤＣＣＨ集合１に対するＢＤ割当を調整することができる。
【０１３８】
一方、２つ以上のＥＰＤＣＣＨ集合にＢＤ候補が割り当てられる場合、各集合に対する候補個数は、集合別に異なるように割り当てられてもよい。この方法の一つとして、集合別候補個数がＮとＬに対する関数として定義されるようにすることができる。一例として、Ｎ／ＬをＢＤ分割の基準として可用ＲＥの個数が反映されるようにすることができるが、このような場合、同一のＬに対してもＮが異なると、集合別ＢＤ個数が異なり、同一のＮに対してもＬが異なると、集合別ＢＤ個数が異なり得る。一方、集合間に互いに異なるＮとＬを有しても、Ｎ／Ｌが同一であれば、同一のＢＤ個数が割り当てられる。
【０１３９】
したがって、集合別ＢＤ分割をするとき、Ｎ／Ｌを考慮する方式の一つとして、各集合別ＢＤ候補の個数は各集合のＮ／Ｌ値に比例するようにすることができる。このような場合、Ｎ／Ｌが各集合で同一であれば、ＢＤ候補は各集合に対して均一に分割される。
【０１４０】
例えば、集合１と集合２に対してそれぞれＮ１＝４、Ｌ１＝１であり、Ｎ２＝８、Ｌ２＝２である場合、次のようにＢＤ候補が割り当てられるはずである。
−  集合１：Ｌ１＝１、Ｎ１＝４であれば、Ｎ１／Ｌ１＝４、ＡＬ＝｛１，２，        ４，８，１６｝に対する＃ ｏｆ ＢＤ候補＝｛３，３，１，１，０｝
−  集合２：Ｌ２＝２、Ｎ２＝８であれば、Ｎ２／Ｌ２＝４、ＡＬ＝｛１，２，        ４，８，１６｝に対する＃ ｏｆ ＢＤ候補＝｛０，３，３，１，１｝
【０１４１】
すなわち、集合１のＮ１／Ｌ１＝４、集合２のＮ２／Ｌ２＝４と、同一であるため、各集合は、同一の個数のＢＤ候補を有し、ＥＰＤＣＣＨ集合１に対しては｛３，３，１，１，０｝、ＥＰＤＣＣＨ集合２に対するＢＤ候補割当に対する調整を経て｛０，３，３，１，１｝と割り当てられた。
【０１４２】
例えば、集合１と集合２に対してそれぞれＮ１＝４、Ｌ１＝１であり、Ｎ２＝８、Ｌ２＝１である場合、次の通りＢＤ候補を割り当てることができる。このとき、上記のＮ１／Ｌ１対Ｎ２／Ｌ２の比（１対２）に各ＡＬに対するＢＤの候補数を分け、整数でない結果の場合は、ラウンド（ｒｏｕｎｄ）関数として処理する。
−  集合１：Ｌ１＝１、Ｎ１＝４、Ｎ１／Ｌ１＝４、ＡＬ＝｛１，２，４，８，        １６｝に対する＃ ｏｆ ＢＤ候補＝｛２，２，１，１，０｝
−  集合２：Ｌ２＝１、Ｎ２＝８、Ｎ２／Ｌ２＝８、ＡＬ＝｛１，２，４，８，        １６｝に対する＃ ｏｆ ＢＤ候補＝｛４，４，１，１，０｝
【０１４３】
すなわち、集合１のＮ１／Ｌ１＝４、集合２のＮ２／Ｌ２＝８であって、Ｎ１／Ｌ１：Ｎ２／Ｌ２＝１：２となるため、集合２に割り当てられるＢＤ候補の数が、集合１に割り当てられるＢＤ候補数の２倍になり得る。
【０１４４】
仮に、上記の２段階方式の第１段階でＮ／Ｌを考慮し、Ｎ１＝４、Ｌ１＝１であり、Ｎ２＝８、Ｌ２＝２である場合に対してＢＤ候補を割り当てると、次の通りである。
【０１４５】
第１段階−２つの集合に対してＬ＝Ｌ１＝Ｌ２＝１と仮定した後、Ｎ／Ｌを基準に集合に対するＢＤ候補を分割
−  集合１：Ｌ１＝１、Ｎ１＝４、ＡＬ＝｛１，２，４，８，１６｝に対する＃        ｏｆ ＢＤ候補＝｛２，２，１，１，０｝
−  集合２：Ｌ２＝１、Ｎ２＝８、ＡＬ＝｛１，２，４，８，１６｝に対する＃        ｏｆ ＢＤ候補＝｛４，４，１，１，０｝
第２段階−集合２に対する補正
−  集合１：Ｌ１＝１、Ｎ１＝４、ＡＬ＝｛１，２，４，８，１６｝に対する＃         ｏｆ ＢＤ候補＝｛２，２，１，１，０｝
−  集合２：Ｌ２＝２、Ｎ２＝８、ＡＬ＝｛１，２，４，８，１６｝に対する＃        ｏｆ ＢＤ候補＝｛０，４，４，１，１｝
【０１４６】
図１２は、本発明の実施例を実行する送信装置１０及び受信装置２０の構成要素を示すブロック図である。送信装置１０及び受信装置２０は、情報及び／又はデータ、信号、メッセージなどを運ぶ有線及び／又は無線信号を送信又は受信できるＲＦ（Ｒａｄｉｏ  Ｆｒｅｑｕｅｎｃｙ）ユニット１３，２３と、無線通信システム内の通信と関連した各種情報を記憶するメモリー１２，２２と、ＲＦユニット１３，２３及びメモリー１２，２２の構成要素と動作的に接続してこれらの構成要素を制御し、当該装置が前述の本発明の実施例の少なくとも一つを実行するようにメモリー１２，２２及び／又はＲＦユニット１３，２３を制御するように構成されたプロセッサ１１，２１をそれぞれ備える。
【０１４７】
メモリー１２，２２は、プロセッサ１１，２１の処理及び制御のためのプログラムを格納することができ、入／出力される情報を臨時記憶することができる。メモリー１２，２２がバッファーとして活用されてもよい。プロセッサ１１，２１は、一般に、送信装置又は受信装置内の各種モジュールの動作全般を制御する。特に、プロセッサ１１，２１は、本発明を実行するための各種制御機能を果たすことができる。プロセッサ１１，２１をコントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ぶこともできる。プロセッサ１１，２１は、ハードウェア（ｈａｒｄｗａｒｅ）又はファームウェア（ｆｉｒｍｗａｒｅ）、ソフトウェア、又はこれらの結合によって具現されてもよい。ハードウェアを用いて本発明を具現する場合は、本発明を実行するように構成されたＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）などがプロセッサ４００ａ，４００ｂに設けられてもよい。一方、ファームウェアやソフトウェアを用いて本発明を具現する場合は、本発明の機能又は動作を実行するモジュール、手順又は関数などを含むようにファームウェアやソフトウェアが構成されてもよい。本発明を実行できるように構成されたファームウェア又はソフトウェアは、プロセッサ１１，２１内に設けられたりメモリー１２，２２に格納されてプロセッサ１１，２１によって駆動されてもよい。
【０１４８】
送信装置１０におけるプロセッサ１１は、プロセッサ１１又はプロセッサ１１に接続しているスケジューラからスケジューリングされて外部に送信される信号及び／又はデータに対して所定の符号化（ｃｏｄｉｎｇ）及び変調（ｍｏｄｕｌａｔｉｏｎ）を行った後ＲＦユニット１３に送信する。例えば、プロセッサ１１は、送信しようとするデータ列を逆多重化、チャネル符号化、スクランブリング、及び変調などをしてＫ個のレイヤに変換する。符号化されたデータ列はコードワードとも呼ばれ、ＭＡＣ層が提供するデータブロックである伝送ブロックと等価である。一伝送ブロック（ｔｒａｎｓｐｏｒｔ  ｂｌｏｃｋ、ＴＢ）は一コードワードに符号化され、各コードワードは一つ以上のレイヤの形態で受信装置に送信される。周波数アップ変換のためにＲＦユニット１３はオシレータ（ｏｓｃｉｌｌａｔｏｒ）を含むことができる。ＲＦユニット１３はＮｔ個（Ｎｔは１以上の正の整数）の送信アンテナを含むことができる。
【０１４９】
受信装置２０の信号処理過程は、送信装置１０の信号処理過程の逆となる。プロセッサ２１の制御下に、受信装置２０のＲＦユニット２３は送信装置１０から送信された無線信号を受信する。ＲＦユニット２３は、Ｎｒ個の受信アンテナを含むことができ、ＲＦユニット２３は受信アンテナから受信した信号のそれぞれを周波数ダウン変換して（ｆｒｅｑｕｅｎｃｙ  ｄｏｗｎ−ｃｏｎｖｅｒｔ）基底帯域信号に復元する。ＲＦユニット２３は、周波数ダウン変換のためにオシレータを含むことができる。プロセッサ２１は、受信アンテナから受信した無線信号に対する復号（ｄｅｃｏｄｉｎｇ）及び復調（ｄｅｍｏｄｕｌａｔｉｏｎ）を行い、送信装置１０が本来送信しようとしたデータに復元することができる。
【０１５０】
ＲＦユニット１３，２３は一つ以上のアンテナを具備する。アンテナは、プロセッサ１１，２１の制御下に、本発明の一実施例によって、ＲＦユニット１３，２３で処理された信号を外部に送信したり、外部から無線信号を受信してＲＦユニット１３，２３に伝達する機能を果たす。アンテナはアンテナポートと呼ばれることもある。各アンテナは一つの物理アンテナに該当したり、２以上の物理アンテナ要素（ｅｌｅｍｅｎｔ）の組合せによって構成されてもよい。各アンテナから送信された信号は受信装置２０によってそれ以上分解されることはない。当該アンテナに対応して送信された参照信号（ｒｅｆｅｒｅｎｃｅ  ｓｉｇｎａｌ、ＲＳ）は受信装置２０の観点で見たアンテナを定義し、チャネルが一物理アンテナからの単一（ｓｉｎｇｌｅ）無線チャネルであるか、或いは当該アンテナを含む複数の物理アンテナ要素（ｅｌｅｍｅｎｔ）からの合成（ｃｏｍｐｏｓｉｔｅ）チャネルであるかに関係なく、受信装置２０にとって当該アンテナに対するチャネル推定を可能にする。すなわち、アンテナは、該アンテナ上のシンボルを伝達するチャネルが同一アンテナ上の他のシンボルが伝達される上記チャネルから導出されるように定義される。複数のアンテナを用いてデータを送受信する多重入出力（Ｍｕｌｔｉ−Ｉｎｐｕｔ  Ｍｕｌｔｉ−Ｏｕｔｐｕｔ、ＭＩＭＯ）機能を支援するＲＦユニットの場合は２個以上のアンテナに接続されてもよい。
【０１５１】
本発明の実施例において、ＵＥが上りリンクでは送信装置１０として動作し、下りリンクでは受信装置２０として動作する。本発明の実施例において、ｅＮＢが上りリンクでは受信装置２０として動作し、下りリンクでは送信装置１０として動作する。
【０１５２】
上記の送信装置１０及び／又は受信装置２０は、上述した本発明の実施例のうちの少なくとも１つ又は２つ以上の実施例の組合せを実行することができる。
【０１５３】
上述したように開示された本発明の好適な実施例に関する詳細な説明は、当業者が本発明を具現して実施し得るように提供された。以上では本発明の好適な実施例を参照して説明したが、当該技術の分野における熟練した者には、添付の特許請求の範囲に記載された本発明を様々に修正及び変更できるということが理解できる。したがって、本発明はここに示した実施の形態に制限されるものではなく、ここに開示された原理及び新規な特徴と一致する最も広い範囲を付与するためのものである。
【産業上の利用可能性】
【０１５４】
本発明は、端末、リレー、基地局などのような通信装置に利用可能である。
【図１】
2015534326.tif 000020
【図２】
2015534326.tif 000021
【図３】
2015534326.tif 000022
【図４】
2015534326.tif 000023
【図５】
2015534326.tif 000024
【図６】
2015534326.tif 000025
【図７】
2015534326.tif 000026
【図８】
2015534326.tif 000027
【図９】
2015534326.tif 000028
【図１０】
2015534326.tif 000029
【図１１（ａ）】
2015534326.tif 000030
【図１１（ｂ）】
2015534326.tif 000031
【図１１（ｃ）】
2015534326.tif 000032
【図１２】
2015534326.tif 000033
【手続補正書】
【提出日】平成27年3月6日(2015.3.6)
【手続補正１】
【補正対象書類名】明細書
【補正対象項目名】０００９
【補正方法】変更
【補正の内容】
【０００９】
本発明の一実施例に係る無線通信システムにおいてユーザ機器が下りリンク制御信号を受信するための方法において、この方法は、下りリンクサービング基地局（ＢＳ）から送信されたＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）をデコーディングするために、ＥＰＤＣＣＨ集合で複数のＥＰＤＣＣＨ候補をモニタリングするステップと、前記デコーディングされたＥＰＤＣＣＨに対応するＰＤＳＣＨ（Ｐｈｙｓｉｃａｌ  Ｄｏｗｎｌｉｎｋ  Ｓｈａｒｅｄ  Ｃｈａｎｎｅｌ）を受信するステップと、を含み、前記ＥＰＤＣＣＨ候補の最小集成レベルは、前記無線通信システムの下りリンク帯域幅及び下りリンク制御情報（Ｄｏｗｎｌｉｎｋ  Ｃｏｎｔｒｏｌ  Ｉｎｆｏｒｍａｔｉｏｎ；ＤＣＩ）フォーマットと関連することができる。
【手続補正２】
【補正対象書類名】明細書
【補正対象項目名】００１６
【補正方法】変更
【補正の内容】
【００１６】
好適には、前記ＥＰＤＣＣＨ集合のＥＰＤＣＣＨ候補の数は、各集成レベル（ａｇｇｒｅｇａｔｉｏｎ  ｌｅｖｅｌ）（Ｌ）、前記ＥＰＤＣＣＨ集合の物理リソースブロック（Ｐｈｙｓｉｃａｌ  ｒｅｓｏｕｒｃｅ  ｂｌｏｃｋ；ＰＲＢ）対の数（Ｎ）、及び各ＰＲＢ対別ＥＣＣＥ（ｅｎｈａｎｃｅｄ  Ｃｏｎｔｒｏｌ  Ｃｈａｎｎｅｌ  Ｅｌｅｍｅｎｔ）個数によって決定され、前記各Ｎに対する前記ＥＰＤＣＣＨ候補の数は固定していてもよい。
【手続補正３】
【補正対象書類名】明細書
【補正対象項目名】００１９
【補正方法】変更
【補正の内容】
【００１９】
好適には、第１ＥＰＤＣＣＨ集合に前記第１ＥＰＤＣＣＨ集合内ＥＣＣＥ（ｅｎｈａｎｃｅｄ  Ｃｏｎｔｒｏｌ  Ｃｈａｎｎｅｌ  Ｅｌｅｍｅｎｔ）の数よりも大きい集成レベル（以下、Ｌ２）が設定されていると、前記方法は、前記Ｌ２に対するＥＰＤＣＣＨ候補を第２ＥＰＤＣＣＨ集合に対して割り当てるステップを含んでもよい。
【手続補正４】
【補正対象書類名】明細書
【補正対象項目名】００２２
【補正方法】変更
【補正の内容】
【００２２】
本発明の他の実施例に係る無線通信システムにおいて下りリンク制御信号を受信するように構成された端末において、この端末は、無線周波数（ｒａｄｉｏ  ｆｒｅｑｕｅｎｃｙ；ＲＦ）ユニットと、前記ＲＦユニットを制御するように構成されたプロセッサと、を備え、前記プロセッサは、ＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）をデコーディングするために、ＥＰＤＣＣＨ集合で複数のＥＰＤＣＣＨ候補をモニタリングし、前記デコーディングされたＥＰＤＣＣＨに対応するＰＤＳＣＨ（Ｐｈｙｓｉｃａｌ  Ｄｏｗｎｌｉｎｋ  Ｓｈａｒｅｄ  Ｃｈａｎｎｅｌ）を受信するように構成され、前記ＥＰＤＣＣＨ候補の最小集成レベルは、前記無線通信システムの下りリンク帯域幅及び下りリンク制御情報（Ｄｏｗｎｌｉｎｋ  Ｃｏｎｔｒｏｌ  Ｉｎｆｏｒｍａｔｉｏｎ；ＤＣＩ）フォーマットと関連することができる。
【手続補正５】
【補正対象書類名】特許請求の範囲
【補正対象項目名】全文
【補正方法】変更
【補正の内容】
【特許請求の範囲】
【請求項１】
無線通信システムにおいてユーザ機器が下りリンク制御信号を受信するための方法であって、
下りリンクサービング基地局から送信されたＥＰＤＣＣＨをデコーディングするために、ＥＰＤＣＣＨ集合で複数のＥＰＤＣＣＨ候補をモニタリングするステップと、
前記デコーディングされたＥＰＤＣＣＨに対応するＰＤＳＣＨを受信するステップと、
を含み、
前記ＥＰＤＣＣＨ候補の最小集成レベルは、前記無線通信システムの下りリンク帯域幅及び下りリンク制御情報（ＤＣＩ）フォーマットと関連することを特徴とする、下りリンク制御信号受信方法。
【請求項２】
前記下りリンク帯域幅が２５個のリソースブロック（ＲＢ）以上であり、前記ＤＣＩフォーマットが２／２Ａ／２Ｂ／２Ｃ／２Ｄである場合、前記最小集成レベルは２である、請求項１に記載の下りリンク制御信号受信方法。
【請求項３】
前記ＥＰＤＣＣＨ候補の数は、前記ＥＰＤＣＣＨ集合を構成するＰＲＢ対の数が４である場合、集成レベル２、４、８及び１６のそれぞれに対して８、４、２及び１個に設定される、請求項２に記載の下りリンク制御信号受信方法。
【請求項４】
各集成レベルＬに対する前記ＥＰＤＣＣＨ候補の数に関する情報を、前記下りリンクサービング基地局から受信するステップをさらに含む、請求項１に記載の下りリンク制御信号受信方法。
【請求項５】
前記ＥＰＤＣＣＨ集合内ＥＣＣＥの数よりも大きい集成レベルＬ１が設定されていると、前記集成レベルＬ１に対するＥＰＤＣＣＨ候補を他の集成レベルに対して割り当てるステップを含む、請求項１に記載の下りリンク制御信号受信方法。
【請求項６】
前記集成レベルＬ１に対するＥＰＤＣＣＨ候補は、前記ＥＰＤＣＣＨ集合に設定された集成レベルのうちの前記集成レベルＬ１よりも小さい集成レベルのうち、最大の集成レベルから最小の集成レベルへの優先順位で前記他の集成レベルへの割当が試みられる、請求項５に記載の下りリンク制御信号受信方法。
【請求項７】
前記集成レベルＬ１よりも小さい集成レベルのうちの特定集成レベルに追加のＥＰＤＣＣＨ候補が割り当てられることが不可能であれば、前記特定集成レベルの次に大きい集成レベルに対して追加のＥＰＤＣＣＨ候補が割り当てられる、請求項６に記載の下りリンク制御信号受信方法。
【請求項８】
前記ＥＰＤＣＣＨ集合のＥＰＤＣＣＨ候補の数は、各集成レベル（Ｌ）、前記ＥＰＤＣＣＨ集合の物理リソースブロック対の数（Ｎ）、及び各ＰＲＢ対別ＥＣＣＥ個数によって決定され、
前記各Ｎに対する前記ＥＰＤＣＣＨ候補の数は固定している、請求項１に記載の下りリンク制御信号受信方法。
【請求項９】
前記ＥＰＤＣＣＨ集合が２つである場合、前記２つのＥＰＤＣＣＨ集合は、互いに異なる最小集成レベルを有するように設定される、請求項１に記載の下りリンク制御信号受信方法。
【請求項１０】
前記ＥＰＤＣＣＨ集合が２つである場合、前記２つのＥＰＤＣＣＨ集合は、各集成レベル別に互いに異なるＥＰＤＣＣＨ候補個数を有するように設定される、請求項１に記載の下りリンク制御信号受信方法。
【請求項１１】
第１ＥＰＤＣＣＨ集合に前記第１ＥＰＤＣＣＨ集合内ＥＣＣＥの数よりも大きい集成レベルＬ２が設定されていると、前記Ｌ２に対するＥＰＤＣＣＨ候補を第２ＥＰＤＣＣＨ集合に対して割り当てるステップを含む、請求項１０に記載の下りリンク制御信号受信方法。
【請求項１２】
前記集成レベルＬ２に対するＥＰＤＣＣＨ候補は、前記第１ＥＰＤＣＣＨ集合に設定された集成レベルのうちの前記集成レベルＬ２よりも小さい集成レベルのうち、最大の集成レベルから最小の集成レベルへの優先順位で前記第２ＥＰＤＣＣＨ集合への割当が試みられる、請求項１１に記載の下りリンク制御信号受信方法。
【請求項１３】
前記集成レベルＬ２よりも小さい集成レベルのうちの特定集成レベルに追加のＥＰＤＣＣＨ候補が割り当てられることが不可能であれば、前記特定集成レベルの次に大きい集成レベルに対して追加のＥＰＤＣＣＨ候補が割り当てられる、請求項１２に記載の下りリンク制御信号受信方法。
【請求項１４】
無線通信システムにおいて下りリンク制御信号を受信するように構成された端末であって、
無線周波数（ＲＦ）ユニットと、
前記ＲＦユニットを制御するように構成されたプロセッサと、
を備え、
前記プロセッサは、ＥＰＤＣＣＨをデコーディングするために、ＰＤＣＣＨ集合で複数のＥＰＤＣＣＨ候補をモニタリングし、前記デコーディングされたＥＰＤＣＣＨに対応するＰＤＳＣＨを受信するように構成され、
前記ＥＰＤＣＣＨ候補の最小集成レベルは、前記無線通信システムの下りリンク帯域幅及び下りリンク制御情報（ＤＣＩ）フォーマットと関連することを特徴とする、端末。
【国際調査報告】
2015534326.tif 000034
2015534326.tif 000035
2015534326.tif 000036
2015534326.tif 000037